(57)【特許請求の範囲】
【請求項１】
使用者所有のシガーソケット装置において、
車両のシガーソケット挿入口に挿入される本体構造を有する本体挿入部；
前記本体挿入部が車両のシガーソケット挿入口に挿入されている時に前記シガーソケット挿入口を通じて前記車両から電源の供給を受ける電源供給部；
前記車両から供給される電源を少なくとも一つの指定された動作電源に変換する電源変換部；
前記電源変換部を通じて変換されたＵＳＢ電源を外部に印加するＵＳＢコネクターを含むＵＳＢコネクター部；
前記電源供給部を通じて供給される電源および前記電源変換部を通じて変換される電源のうち少なくとも一つの電源を利用して充電する電源充電部；および
車両のシガーソケット挿入口に前記本体挿入部の挿入が確認された場合、前記車両から供給される車両電源を通じて動作する一方、前記車両電源の供給が確認されない場合、前記電源充電部に充電された充電電源を利用して動作し、
ペアリングされた使用者端末機のブルートゥース機能が活性化した場合、前記使用者端末機と両方向ブルートゥースデータ通信を含む少なくとも一つの両方向データ通信を処理し、
前記車両電源または充電電源を利用して少なくとも一つのブルートゥース基盤のビーコン信号を放送するビーコンモジュール；
を具備し、前記ビーコンモジュールは、
使用者端末機または使用者端末機のプログラムを固有に識別認証する端末機識別情報を保存する識別情報保存領域を具備したメモリ部；および
前記使用者端末機との両方向データ通信が連結されている時、前記使用者端末機から端末機識別情報を受信し、受信した前記端末機識別情報を前記識別情報保存領域に登録する端末機登録部；を具備する、適応型ビーコンシガーソケット装置。
【請求項２】
前記ビーコンモジュールは、
前記使用者端末機が前記ＵＳＢコネクター部に連結された場合、前記使用者端末機と両方向ＵＳＢデータ通信を行うことを特徴とする、請求項１に記載の適応型ビーコンシガーソケット装置。
【請求項３】
前記端末機識別情報を登録した状態で使用者端末機との両方向データ通信の連結時に前記端末機識別情報を利用することにより両方向データ通信が連結された使用者端末機または使用者端末機のプログラムの有効性を認証する端末機認証部；および
前記端末機識別情報を通じて認証された端末機と両方向データ通信を処理する通信処理部；をさらに具備してなることを特徴とする、請求項１に記載の適応型ビーコンシガーソケット装置。
【請求項４】
ＰＩＮ認証のためのＰＩＮ認証情報を保存するＰＩＮ保存領域を具備したメモリ部；および
両方向データ通信が連結された使用者端末機からＰＩＮ認証情報を受信し、受信した前記ＰＩＮ認証情報を前記ＰＩＮ保存領域に保存するＰＩＮ登録部；および
両方向データ通信が連結された使用者端末機を通じて入力されたＰＩＮ情報を受信して前記ＰＩＮ認証情報により前記使用者端末機を認証するＰＩＮ認証部；をさらに具備してなることを特徴とする、請求項１に記載の適応型ビーコンシガーソケット装置。
【請求項５】
前記ビーコンモジュールは、
基本設定されたブルートゥース基盤のビーコン信号を放送するためのデータセットを保存する基本設定メモリ領域と、使用者端末機を通じて用途定義されたブルートゥース基盤のビーコン信号を放送するためのデータセットを保存する用途定義メモリ領域を具備したメモリ部を具備してなることを特徴とする、請求項１に記載の適応型ビーコンシガーソケット装置。
【請求項６】
前記ビーコンモジュールは、
基本設定されたブルートゥース基盤のビーコン信号を通じて放送する固有情報を指定された基本設定メモリ領域に保存する情報保存部；および
前記基本設定メモリ領域の固有情報を含むビーコン信号の放送を制御するビーコン送出部；をさらに具備してなることを特徴とする、請求項１に記載の適応型ビーコンシガーソケット装置。
【請求項７】
前記ビーコンモジュールは、
基本設定されたブルートゥース基盤のビーコン信号を通じて放送する使い捨てコードを生成するための一つ以上の固定シード値を指定された基本設定メモリ領域に保存するシード保存部；
前記使い捨てコードを生成するための少なくとも一つの動的シード値を決定するシード決定部；
指定されたコード生成アルゴリズムに一つ以上の固定シード値と少なくとも一つの動的シード値を適用して使い捨てコードを動的に生成するコード生成部；および
前記使い捨てコードを含むビーコン信号の放送を制御するビーコン送出部；をさらに具備してなることを特徴とする、請求項１に記載の適応型ビーコンシガーソケット装置。
【請求項８】
前記ビーコンモジュールは、
基本設定されたブルートゥース基盤のビーコン信号を通じて放送する固有情報を指定された基本設定メモリ領域に保存する情報保存部；
基本設定されたブルートゥース基盤のビーコン信号を通じて放送する使い捨てコードを生成するための一つ以上の固定シード値を前記基本設定メモリ領域に保存するシード保存部；
前記使い捨てコードを生成するための少なくとも一つの動的シード値を決定するシード決定部；
指定されたコード生成アルゴリズムに一つ以上の固定シード値と少なくとも一つの動的シード値を適用して使い捨てコードを動的に生成するコード生成部；および
前記基本設定メモリ領域の固有情報と前記使い捨てコードを含むビーコン信号の放送を制御するビーコン送出部；をさらに具備してなることを特徴とする、請求項１に記載の適応型ビーコンシガーソケット装置。
【請求項９】
前記ビーコンモジュールは、
車両から車両電源が供給されるか否かを確認する電源確認部；および
前記車両電源の供給を確認した場合に前記ビーコンモジュールが前記車両電源を利用して動作する車両電源モードを動作モードとして設定または確認し、前記車両電源の供給が確認されない場合、前記電源充電部に充電された充電電源を利用して前記ビーコンモジュールが動作する充電電源モードを動作モードとして設定または確認するモード設定部；を具備してなることを特徴とする、請求項１に記載の適応型ビーコンシガーソケット装置。
【請求項１０】
前記ビーコンモジュールは、
車両電源の供給を受けて動作する際に前記ビーコン信号をあらかじめ計算された出力または使用可能範囲の最大出力に増幅して放送するように制御する信号制御部をさらに具備してなることを特徴とする、請求項１に記載の適応型ビーコンシガーソケット装置。
【請求項１１】
前記ビーコンモジュールは、
充電電源の供給を受けて動作する際に前記ビーコン信号を低電源出力で放送するように制御する信号制御部をさらに具備してなることを特徴とする、請求項１に記載の適応型ビーコンシガーソケット装置。
【請求項１２】
前記ビーコンモジュールは、
両方向データ通信を通じて使用者端末機から用途定義ビーコン信号を選択的に放送するように制御するための設定情報を受信する通信処理部；および
前記設定情報に対応する用途定義ビーコン信号の放送を制御する送出制御部；を具備してなることを特徴とする、請求項１に記載の適応型ビーコンシガーソケット装置。
【請求項１３】
前記設定情報は、用途定義ビーコン信号に含まれる固有情報、用途定義ビーコン信号に含まれる使い捨てコードを生成するためのシード値、用途定義ビーコン信号のプロトコル構造のうち少なくとも一つを含んで構成されることを特徴とする、請求項１２に記載の適応型ビーコンシガーソケット装置。
【請求項１４】
前記ビーコンモジュールは、
前記設定情報に含まれた固有情報を指定された用途定義メモリ領域に保存する情報保存部；および
前記用途定義メモリ領域に保存された固有情報を含む用途定義ビーコン信号の放送を制御するビーコン送出部；をさらに具備してなることを特徴とする、請求項１２に記載の適応型ビーコンシガーソケット装置。
【請求項１５】
前記ビーコンモジュールは、
前記設定情報に含まれた一つ以上のシード値を指定された用途定義メモリ領域に保存するシード保存部；
使い捨てコードを生成するための一つ以上のシード値を決定するシード決定部；
指定されたコード生成アルゴリズムに一つ以上のシード値を適用して使い捨てコードを動的に生成するコード生成部；および
前記使い捨てコードを含む用途定義ビーコン信号の放送を制御するビーコン送出部；をさらに具備してなることを特徴とする、請求項１２に記載の適応型ビーコンシガーソケット装置。
【請求項１６】
前記ビーコンモジュールは、
前記設定情報に含まれた固有情報を指定された用途定義メモリ領域に保存する情報保存部；
前記設定情報に含まれた一つ以上のシード値を前記用途定義メモリ領域に保存するシード保存部；
使い捨てコードを生成するための一つ以上のシード値を決定するシード決定部；
指定されたコード生成アルゴリズムに一つ以上のシード値を適用して使い捨てコードを動的に生成するコード生成部；および
前記用途定義メモリ領域に保存された固有情報と前記生成された使い捨てコードを含むビーコン信号の放送を制御するビーコン送出部；をさらに具備してなることを特徴とする、請求項１２に記載の適応型ビーコンシガーソケット装置。
【請求項１７】
前記送出制御部は、
両方向データ通信が連結された使用者端末機の制御命令にしたがって用途定義ビーコン信号を放送するか否かを判断することを特徴とする、請求項１２に記載の適応型ビーコンシガーソケット装置。
【請求項１８】
前記送出制御部は、
指定された用途定義メモリ領域に有効な設定情報が保存された状態で、前記ＵＳＢコネクター部と使用者端末機間のＵＳＢ連結が連結されているかまたは分離されているかに基づいて用途定義ビーコン信号を放送するか否かを判断することを特徴とする、請求項１２に記載の適応型ビーコンシガーソケット装置。
【請求項１９】
前記送出制御部は、
指定された用途定義メモリ領域に有効な設定情報が保存された状態で、前記使用者端末機と両方向ブルートゥースデータ通信が可能であるかどうかに基づいて用途定義ビーコン信号を放送するか否かを判断することを特徴とする、請求項１２に記載の適応型ビーコンシガーソケット装置。
【請求項２０】
前記送出制御部は、
指定された用途定義メモリ領域に有効な設定情報が保存されている場合には用途定義ビーコン信号の放送を許容し、指定された有効時間が経過した後または前記使用者端末機から特定の信号が受信された場合には用途定義ビーコン信号の放送を許容しないことを特徴とする、請求項１２に記載の適応型ビーコンシガーソケット装置。
【請求項２１】
前記通信処理部は、
両方向データ通信を通じて使用者端末機に基本設定ビーコン信号と用途定義ビーコン信号のうちいずれが放送されるかを示すビーコン送出情報を提供することを特徴とする、請求項１２に記載の適応型ビーコンシガーソケット装置。
【請求項２２】
前記ビーコンモジュールは、
ＵＳＢコネクター部と電気的に連結されてＵＳＢ基盤データ通信を処理するＵＳＢ通信部を具備してなることを特徴とする、請求項１に記載の適応型ビーコンシガーソケット装置。
【請求項２３】
前記ビーコンモジュールは、
車両から供給される車両電源を通じて動作するとともに使用者端末機と両方向ブルートゥースデータ通信が連結された場合、ＵＳＢ基盤データ通信を非活性化するＵＳＢ制御部をさらに具備してなることを特徴とする、請求項２に記載の適応型ビーコンシガーソケット装置。
【発明の詳細な説明】
【技術分野】
【０００１】
本発明は車両のシガーソケット挿入口に挿入されるシガーソケット装置にビーコンモジュールを具備し、指定された空間で指定されたサービスを提供するための基本設定ビーコン信号を送出するものの、車両電源が供給される状態では車両電源を通じてビーコン信号を増幅して送出するものの、車両電源が供給されていない場合には充電電源を利用して低電源モードでビーコン信号を送出し、基本設定されたビーコン信号の他に使用者端末機を通じて用途定義されたビーコン信号を選択的に放送するように制御する、適応型ビーコンシガーソケット装置を提供するものである。
【背景技術】
【０００２】
車両のシガーソケット挿入口に挿入されるシガーソケット装置にブルートゥース（登録商標）基盤のビーコンモジュールを内蔵して、指定された空間（例えば、デパート、アパート、建物、指定駐車場）で身分識別／認証やメンバーシップサービスを提供するビーコンサービスが開示される。
【０００３】
車両のシガーソケット挿入口に挿入されるシガーソケット装置は、通常車両内に備えられる各種装置（例えば、ナビゲーション）や端末機（例えば、使用者の携帯電話、スマートフォンなど）の電源の供給装置として利用されている（特許公開公報第２００２−００１３９５７号（２００２．０２．２１））。
【０００４】
一方、前記シガーソケット装置を電源の供給装置として利用する各種装置や端末機は車両のフロントガラス付近に配置され、使用者の所持する端末機は高出力無線周波数信号を送受信するため、車両内から外部との無線通信の提供に特に問題を引き起こさない。
【０００５】
しかし、シガーソケット装置の内部にビーコン信号を送出するビーコンモジュールを具備する場合、ビーコンモジュールから送出されるビーコン信号を車両の外部にまで送出することが難しい問題点がある。車両のシガーソケット挿入口は、運転席と助手席の間のギア操作部付近に備えられているが、この位置は車両内に備えられた各種電子機器の電磁波の干渉が激しい位置であり、特に車両のフレームないし車体の金属材質によってビーコン信号が車両の外部に送出され難い問題点がある。その上、ブルートゥースビーコンはＢＬＥ（Ｂｌｕｅｔｏｏｔｈ  Ｌｏｗ  Ｅｎｅｒｇｙ）モードで動作するように設計されているが、ＢＬＥモードでシガーソケット装置に内蔵されたビーコンモジュールが車両の外部にビーコン信号を送出することはさらに難しい問題点がある。
【０００６】
一方、シガーソケット装置にビーコンモジュールを内蔵してビーコンサービスを提供する場合、あらかじめ指定された空間に備えられたビーコン受信機を通じてのみ前記ビーコン信号を認識してあらかじめ指定されたサービスを提供することができ、あらかじめ指定されていない非指定空間（例えば、ビーコンモジュールの基本設定されたビーコン信号を認識するビーコン受信機を具備した空間）ではビーコンサービスを提供し難い問題点がある。通常、このような問題を解消するためには、非指定空間に備えられたビーコン受信機を修正するかまたは非指定空間に備えられたビーコン受信機をネットワークに連結して遠隔で制御して問題を解消するが、このような形態で問題を解消する場合、インフラ構築／修正に多くの費用が要される問題点がある。
【発明の概要】
【発明が解決しようとする課題】
【０００７】
前記のような問題点を解消するための本発明の目的は、車両のシガーソケット挿入口に挿入される本体構造からなる本体挿入部と、前記本体挿入部を車両のシガーソケット挿入口に挿入時に前記シガーソケット挿入口を通じて前記車両から電源の供給を受ける電源供給部と、前記車両から供給される電源を少なくとも一つの指定された動作電源に変換する電源変換部と、前記電源変換部を通じて変換されたＵＳＢ（Ｕｎｉｖｅｒｓａｌ  Ｓｅｒｉａｌ  Ｂｕｓ）電源を外部に印加するＵＳＢコネクターを含むＵＳＢコネクター部と、前記電源供給部を通じて供給される電源または前記電源変換部を通じて変換された電源のうち少なくとも一つの電源を充電する電源充電部と、車両のシガーソケット挿入口に前記本体挿入部を挿入して前記電源供給部を通じて前記車両から電源の供給が確認された場合、前記車両から供給される車両電源を通じて動作するかまたは前記車両電源の供給が確認されない場合、前記電源充電部に充電された充電電源を利用して動作し、ペアリングされた使用者端末機のブルートゥース機能が活性化した場合、前記使用者端末機と両方向ブルートゥースデータ通信を含む少なくとも一つの両方向データ通信を処理し、前記車両電源または充電電源を利用して少なくとも一つのブルートゥース基盤のビーコン信号を外部に放送するビーコンモジュールを具備する、適応型ビーコンシガーソケット装置を提供することにある。
【課題を解決するための手段】
【０００８】
本発明に係る適応型ビーコンシガーソケット装置は、使用者所有のシガーソケット装置において、車両のシガーソケット挿入口に挿入される本体構造からなる本体挿入部と、前記本体挿入部を車両のシガーソケット挿入口に挿入時に前記シガーソケット挿入口を通じて前記車両から電源の供給を受ける電源供給部と、前記車両から供給される電源を少なくとも一つの指定された動作電源に変換する電源変換部と、前記電源変換部を通じて変換されたＵＳＢ（Ｕｎｉｖｅｒｓａｌ  Ｓｅｒｉａｌ  Ｂｕｓ）電源を外部に印加するＵＳＢコネクターを含むＵＳＢコネクター部と、前記電源供給部を通じて供給される電源または前記電源変換部を通じて変換された電源のうち少なくとも一つの電源を充電する電源充電部と、車両のシガーソケット挿入口に前記本体挿入部を挿入して前記電源供給部を通じて前記車両から電源の供給が確認された場合、前記車両から供給される車両電源を通じて動作するかまたは前記車両電源の供給が確認されない場合、前記電源充電部に充電された充電電源を利用して動作し、ペアリングされた使用者端末機のブルートゥース機能が活性化した場合、前記使用者端末機と両方向ブルートゥースデータ通信を含む少なくとも一つの両方向データ通信を処理し、前記車両電源または充電電源を利用して少なくとも一つのブルートゥース基盤のビーコン信号を外部に放送する、ビーコンモジュールを具備する。
【０００９】
本発明によれば、前記ビーコンモジュールは前記使用者端末機が前記ＵＳＢコネクター部に連結された場合、前記使用者端末機と両方向ＵＳＢデータ通信をすることができる。
【００１０】
本発明によれば、前記ビーコンモジュールは、車両から車両電源が供給される状態を確認する電源確認部と、前記車両電源の供給を確認する際に前記車両電源を利用して動作する車両電源モードに設定または確認し、前記車両電源の供給が確認されない場合、前記電源充電部に充電された充電電源を利用して動作する充電電源モードに設定または確認するモード設定部を具備することができる。
【００１１】
本発明によれば、前記ビーコンモジュールは、車両電源の供給を受けて動作する際に前記ビーコン信号をあらかじめ計算された出力または使用可能範囲の最大出力に増幅して放送するように制御する信号制御部をさらに具備することができる。
【００１２】
本発明によれば、前記ビーコンモジュールは、両方向データ通信を通じて使用者端末機から用途定義ビーコン信号を選択的に放送するように制御するための設定情報を受信する通信処理部と、前記設定情報に対応する用途定義ビーコン信号を放送するように制御する送出制御部を具備することができる。
【００１３】
本発明によれば、前記送出制御部は、両方向データ通信が連結された使用者端末機の制御命令にしたがって用途定義ビーコン信号を放送するかを判断するか、または指定された用途定義メモリ領域に有効な設定情報が保存された状態で、前記ＵＳＢコネクター部と使用者端末機間のＵＳＢ連結が連結されるかまたは分離されるかの可否に基づいて用途定義ビーコン信号を放送するかを判断するか、または指定された用途定義メモリ領域に有効な設定情報が保存された状態で、前記使用者端末機と両方向ブルートゥースデータ通信が可能であるかどうかの可否に基づいて用途定義ビーコン信号を放送するかを判断するか、または指定された用途定義メモリ領域に有効な設定情報が保存されるとともに用途定義ビーコン信号を放送するように制御するものの、指定された有効時間が経過したかまたは前記使用者端末機から特定の信号が受信された場合に用途定義ビーコン信号を放送しないように制御することができる。
【００１４】
本発明によれば、前記ビーコンモジュールは、車両から供給される車両電源を通じて動作するとともに使用者端末機と両方向ブルートゥースデータ通信が連結された場合、ＵＳＢ基盤データ通信を非活性化するＵＳＢ制御部をさらに具備することができる。
【発明の効果】
【００１５】
本発明によれば、車両のシガーソケット挿入口に挿入されるシガーソケット装置にビーコンモジュールを内蔵し、車両の外部にビーコン信号を安定的に放送することによって、指定された空間（例えば、デパート、アパート、建物、指定駐車場）で身分識別／認証やメンバーシップサービスなどのビーコンサービスを提供できる利点がある。
【００１６】
本発明によれば、シガーソケット装置が車両のシガーソケット挿入口に挿入された状態ではシガーソケット装置を電源の供給装置として使うものの、シガーソケット装置がシガーソケット挿入口から脱去された場合には使用者の端末機を利用してビーコンモジュールを制御することによって、多様なビーコンサービスにリアルタイムで適用できる利点がある。
【００１７】
本発明によれば、使用者の端末機を通じてシガーソケット装置のビーコンモジュールを制御して基本設定されたビーコン信号の他に特定用途に定義されたビーコン信号を放送させることによって、前記ビーコンモジュールのビーコン信号を受信するビーコン受信機に前記ビーコンモジュールに基本設定されたビーコン信号を認識させるように修正するかネットワークに連結して遠隔制御せずにもリアルタイムで適応したビーコンサービスを提供できる利点がある。
【図面の簡単な説明】
【００１８】
【図１】本発明の実施方法に係る適応型ビーコンシガーソケット装置の構成を図示した図面。
【図２】本発明の実施方法によってシガーソケット装置に内蔵されたビーコンモジュールの構成を図示した図面。
【図３】本発明の実施方法に係る使用者端末機とプログラムの機能構成を図示した図面。
【図４】本発明の実施方法に係るビーコンモジュールのモード設定／確認過程を図示した図面。
【図５ａ】本発明の実施方法によって端末機識別情報とビーコンモジュール識別情報を登録する過程を図示した図面。
【図５ｂ】本発明の実施方法によって端末機識別情報とビーコンモジュール識別情報を登録する過程を図示した図面。
【図６ａ】本発明の実施方法に係る端末機認証ないしビーコンモジュール認証過程を図示した図面。
【図６ｂ】本発明の実施方法に係る端末機認証ないしビーコンモジュール認証過程を図示した図面。
【図７ａ】本発明の第１実施方法に係るビーコンモジュールのビーコン信号の放送過程を図示した図面。
【図７ｂ】本発明の第１実施方法に係るビーコンモジュールのビーコン信号の放送過程を図示した図面。
【図８ａ】本発明の第２実施方法に係るビーコンモジュールのビーコン信号の放送過程を図示した図面。
【図８ｂ】本発明の第２実施方法に係るビーコンモジュールのビーコン信号の放送過程を図示した図面。
【図９ａ】本発明の第３実施方法に係るビーコンモジュールのビーコン信号の放送過程を図示した図面。
【図９ｂ】本発明の第３実施方法に係るビーコンモジュールのビーコン信号の放送過程を図示した図面。
【図１０】本発明の実施方法に係る用途定義ビーコン信号を放送するための設定情報を提供する過程を図示した図面。
【図１１】本発明の実施方法によってビーコンモジュールの両方向ＵＳＢデータ通信機能を選択的に活性化／非活性化処理する過程を図示した図面。
【発明を実施するための形態】
【００１９】
以下、添付された図面と説明を参照して本発明の好ましい実施例に対する動作原理を詳細に説明する。ただし、下記に図示される図面と後述される説明は、本発明の特徴を効果的に説明するための多様な方法中の好ましい実施方法に対するものであり、本発明は下記の図面と説明のみによって限定されるものではない。
【００２０】
すなわち、下記の実施例は本発明の多くの実施例中の好ましい和集合形態の実施例に該当し、下記の実施例において特定の構成（または段階）を省略する実施例、または特定の構成（または段階）に具現された機能を特定の構成（または段階）に分割する実施例、または二以上の構成（または段階）に具現された機能をいずれか一つの構成（または段階）に統合する実施例、特定の構成（または段階）の動作順序を取り替える実施例などは、下記の実施例で別途言及しなくてもすべて本発明の権利範囲に属することを明白に明しておく。したがって、下記の実施例を基準として部分集合または補集合に該当する多様な実施例は本発明の出願日を遡及して分割できることを明白に明記しておく。
【００２１】
また、下記にて本発明を説明するにおいて、関連した公知の機能または構成に対する具体的な説明が本発明の要旨を曖昧にする恐れがあると判断される場合には、その詳細な説明を省略する。そして、後述される用語は本発明での機能を考慮して定義された用語であって、これは使用者、運用者の意図または慣例などによって変更され得る。したがって、その定義は本発明の全般にわたった内容に基づいて下されるべきである。
【００２２】
結果として、本発明の技術的思想は請求範囲によって決定され、以下の実施例は進歩的な本発明の技術的思想を本発明が属する技術分野で通常の知識を有した者に効率的に説明するための一手段に過ぎないものである。
【００２３】
図１は本発明の実施方法に係る適応型ビーコンシガーソケット装置１００の構成を図示した図面である。
【００２４】
本発明のビーコンシガーソケット装置１００は、車両のシガーソケット挿入口３７５に挿入される本体構造からなる本体挿入部１０５と、前記本体挿入部１０５を車両のシガーソケット挿入口３７５に挿入時に前記シガーソケット挿入口３７５を通じて前記車両から電源の供給を受ける電源供給部１１５を具備し、前記本体内にあらかじめ指定された使用者端末機３００を識別して両方向通信をするかあらかじめ指定されたビーコン信号を外部に放送するビーコンモジュール２００を具備し、前記ビーコンモジュール２００の動作を操作するための操作部（図示せず）を具備する。
【００２５】
前記本体挿入部１０５は、車両のシガーソケット挿入口３７５に挿入される本体構造で構成され、車両の発電機を通じて生成された（または車両のバッテリーから印加された）電源（例えば、１２Ｖ  ＤＣ電源）の供給を受けるための端子１１０を含んで構成される。
【００２６】
前記シガーソケット装置１００の本体構造は、車両のシガーソケット挿入口３７５に挿入されて端子１１０を通じて車両電源の供給を受けることができる構造であればいかなる構造（または形状）であってもよく、特定の構造（または形状）に限定されない。
【００２７】
前記電源供給部１１５は、前記本体挿入部１０５に備えられた端子１１０と電気的に連結されて車両から供給される電源の印加を受ける構成の総称であって、前記シガーソケット装置１００が車両のシガーソケット挿入口３７５に挿入された場合、前記本体挿入部１０５の端子１１０はシガーソケット挿入口３７５の接点と電気的に連結される。
【００２８】
図１を参照すれば、前記ビーコンシガーソケット装置１００は、前記車両から供給される電源を少なくとも一つの指定された動作電源に変換する電源変換部１２０と、前記電源変換部１２０を通じて変換されたＵＳＢ（Ｕｎｉｖｅｒｓａｌ  Ｓｅｒｉａｌ  Ｂｕｓ）電源を外部に印加するＵＳＢコネクター部１２５と、前記電源供給部１１５を通じて供給される電源または前記電源変換部１２０を通じて変換された電源のうち少なくとも一つの電源を充電する電源充電部１３０と、前記車両から供給される車両電源と前記電源充電部１３０に充電された充電電源のうち少なくとも一つの電源を利用して、少なくとも一つのブルートゥース基盤のビーコン信号を外部に放送するビーコンモジュール２００を具備する。
【００２９】
前記電源供給部１１５を通じて車両から供給される電源の電気的特性（例えば、電圧、電流など）は、ＵＳＢ電源および／またはビーコンモジュール２００の動作電源と異なり得る。例えば、前記車両電源はＤＣ  １２Ｖであるが、ＵＳＢ電源はＤＣ  ５Ｖであり得る。前記電源変換部１２０は、前記電源供給部１１５を通じて車両から供給される電源の電気的特性をＵＳＢ電源および／またはビーコンモジュール２００の動作に符合する電源に変換する。
【００３０】
前記ＵＳＢコネクター部１２５は、前記本体挿入部１０５を前記シガーソケット挿入口３７５に挿入する際に外部に露出する（または所定の蓋を開けて外部に露出可能な）コネクターを含み、前記コネクターを通じて前記電源変換部１２０を通じて変換されたＵＳＢ電源を外部に印加する。
【００３１】
前記電源充電部１３０は、前記本体挿入部１０５を前記シガーソケット挿入口３７５に挿入した場合、前記電源供給部１１５を通じて車両から供給される電源または前記電源変換部１２０を通じて変換された電源のうち少なくとも一つの電源を充電する。好ましくは、前記電源充電部１３０は、前記ビーコンモジュール２００の低電源（Ｌｏｗ  Ｅｎｅｒｇｙ）モード動作に必要な電源を充電する。例えば、前記電源充電部１３０はバッテリーまたはスーパーコンデンサーを含むことができる。
【００３２】
前記ビーコンモジュール２００は、少なくとも一つのブルートゥース基盤のビーコン信号を外部に放送するモジュール（または構成部の組合わせ）の総称であって、車両のシガーソケット挿入口３７５に前記本体挿入部１０５を挿入して前記電源供給部１１５を通じて前記車両から電源の供給が確認された場合、前記車両から供給される車両電源を通じて動作するかまたは前記車両電源の供給が確認されない場合、前記電源充電部１３０に充電された充電電源を利用して動作し、ペアリングされた使用者端末機３００のブルートゥース機能が活性化した場合、前記使用者端末機３００と両方向ブルートゥースデータ通信をするかまたは前記ペアリングされた使用者端末機３００が前記ＵＳＢコネクター部１２５に連結された場合、前記使用者端末機３００と両方向ＵＳＢデータ通信し、前記車両電源または充電電源を利用して少なくとも一つのブルートゥース基盤のビーコン信号を外部に放送する。
【００３３】
車両のシガーソケット挿入口３７５に前記本体挿入部１０５を挿入して前記電源供給部１１５を通じて車両から電源が供給されるかまたは前記電源変換部１２０を通じて前記車両から供給される電源がビーコンモジュール２００の動作電源に変換される場合、前記ビーコンモジュール２００は前記電源供給部１１５または電源変換部１２０を通じて車両から供給される車両電源を利用して動作することができる。
【００３４】
仮に、車両のシガーソケット挿入口３７５から前記本体挿入部１０５を脱去するか、または前記シガーソケット挿入口３７５に前記本体挿入部１０５が挿入されているとしても車両のエンジンが停止して車両から電源が供給されない場合、前記ビーコンモジュール２００は前記電源充電部１３０に充電された充電電源を利用して動作する。好ましくは、前記ビーコンモジュール２００は前記電源充電部１３０に充電された電源を利用してＢＬＥ（Ｂｌｕｅｔｏｏｔｈ  Ｌｏｗ  Ｅｎｅｒｇｙ）モードで動作することができる。
【００３５】
本発明の実施方法によれば、前記ビーコンモジュール２００は、車両を通じて進入する指定空間（例えば、デパート、アパート、建物、指定駐車場）で前記車両や前記車両を運転する使用者の身分を識別／認証するかまたは前記指定空間で使用者に提供されるメンバーシップサービスを識別／認証するために、基本設定されたブルートゥース基盤のビーコン信号を放送することができる。
【００３６】
一方、使用者端末機３００のブルートゥース機能が活性化した場合、前記ビーコンモジュール２００は前記使用者端末機３００とペアリングして前記ペアリングされた使用者端末機３００と両方向ブルートゥースデータ通信をすることができ、前記ペアリングされた使用者端末機３００から両方向ブルートゥースデータ通信を通じて前記ブルートゥース基盤のビーコン信号の用途を定義する有効な設定情報を受信することができる。仮に、前記ペアリングされた使用者端末機３００から両方向ブルートゥースデータ通信を通じて有効な設定情報を受信した場合、前記ビーコンモジュール２００は前記基本設定されたビーコン信号の代わりに前記設定情報によって用途定義されたブルートゥース基盤のビーコン信号を放送することができる。
【００３７】
または、使用者端末機３００がケーブルを通じて前記ＵＳＢコネクター部１２５に連結された場合、前記ビーコンモジュール２００は前記ＵＳＢコネクター部１２５に連結された端末機３００があらかじめ登録された使用者端末機３００であるか判断して両方向ＵＳＢデータ通信をすることができ、前記使用者端末機３００から両方向ＵＳＢデータ通信を通じて前記ブルートゥース基盤のビーコン信号の用途を定義する有効な設定情報を受信することができる。仮に、前記ペアリングされた使用者端末機３００から両方向ＵＳＢデータ通信を通じて有効な設定情報を受信した場合、前記ビーコンモジュール２００は前記基本設定されたビーコン信号の代わりに前記設定情報によって用途定義されたブルートゥース基盤のビーコン信号を放送することができる。
【００３８】
一方、前記両方向ブルートゥースデータ通信や両方向ＵＳＢデータ通信のうち少なくとも一つの両方向データ通信を通じて使用者端末機から受信された設定情報が確認されないかまたは前記設定情報が確認されても有効でない場合、前記ビーコンモジュール２００は基本設定されたブルートゥース基盤のビーコン信号を放送することができる。
【００３９】
図２は本発明の実施方法によってシガーソケット装置１００に内蔵されたビーコンモジュールの構成を図示した図面である。図２を参照すれば、前記ビーコンモジュール２００は、前記ビーコンモジュール２００の動作を制御する制御部２２０と、前記ビーコンモジュール２００の動作に必要なデータセット（またはプログラムコード）を保存するメモリ部２０８と、両方向ブルートゥースデータ通信やビーコン信号放送のためのＲＦ処理を遂行するＲＦ処理部２１２と、前記両方向ブルートゥースデータ通信のための無線周波数信号を送受信するか前記ビーコン信号放送のための無線周波数信号を送出するアンテナ部２１６を具備し、前記ＵＳＢコネクター部１２５と電気的に連結されて両方向ＵＳＢデータ通信を処理するＵＳＢ通信部２０４をさらに具備する。
【００４０】
前記ビーコンモジュール２００は、ＰＣＢ（Ｐｒｉｎｔｅｄ  Ｃｉｒｃｕｉｔ  Ｂｏａｒｄ）にビーコン動作のための一つ以上のＳＭＤ（Ｓｕｒｆａｃｅ  Ｍｏｕｎｔ  Ｄｅｖｉｃｅｓ）を具備する形態で製作され、前記制御部２２０、メモリ部２０８およびＲＦ処理部２１２などはビーコン機能を具備した統合チップの形態で具現されるか、またはＰＣＢに実装される個別素子の形態、または統合チップと各素子の組合わせの形態で具現され得る。
【００４１】
前記制御部２２０は前記ビーコンモジュール２００の動作を制御する構成の総称であって、少なくとも一つのプロセッサと実行メモリを含んで構成され、前記ビーコンモジュール２００に備えられた各構成部とバス（ＢＵＳ）を通じて連結される。本発明によれば、前記制御部２２０は、前記プロセッサを通じて前記ビーコンモジュール２００に備えられる少なくとも一つのプログラムコードを前記実行メモリにローディングして演算し、その結果を前記バスを通じて少なくとも一つの構成部に伝達して前記ビーコンモジュール２００の動作を制御する。以下、便宜上プログラムコードの形態でビーコンモジュール２００に具現されるプログラムの構成を前記制御部２２０内に図示して説明する。
【００４２】
前記メモリ部２０８は、前記ビーコンモジュール２００に備えられる不揮発性メモリの総称であって、前記制御部２２０を通じて実行される少なくとも一つのプログラムコードと、前記プログラムコードが利用する少なくとも一つのデータセットを保存して維持する。前記メモリ部２０８は、基本的に前記ビーコンモジュール２００の運営体制に対応するシステムプログラムコードとシステムデータセット、および少なくとも一つのアプリケーションコードと応用データセットを保存し、本発明のプログラムに対応するプログラムコードとデータセットも前記メモリ部２０８に保存される。
【００４３】
本発明の実施方法によれば、前記メモリ部２０８は基本設定されたブルートゥース基盤のビーコン信号を放送するためのデータセットを保存する基本設定メモリ領域を具備することができる。
【００４４】
本発明の実施方法によれば、前記メモリ部２０８は、使用者端末機３００から少なくとも一つの両方向データ通信を通じて受信された設定情報によって用途定義されたブルートゥース基盤のビーコン信号を放送するためのデータセットを保存する用途定義メモリ領域を具備することができる。
【００４５】
本発明の実施方法によれば、前記メモリ部２０８はＰＩＮ（Ｐｅｒｓｏｎａｌ  Ｉｄｅｎｔｉｆｉｃａｔｉｏｎ  Ｎｕｍｂｅｒ）認証手続きを遂行するためのＰＩＮ認証情報を保存するＰＩＮ保存領域を具備することができる。
【００４６】
本発明の実施方法によれば、前記メモリ部２０８は両方向ブルートゥースデータ通信のためにペアリングされた使用者端末機３００を固有識別する端末機識別情報を保存するかおよび／または両方向ＵＳＢデータ通信のために登録された端末機識別情報を保存する識別情報保存領域を具備することができる。
【００４７】
本発明の実施方法によれば、前記メモリ部２０８は前記使用者端末機３００に前記ビーコンモジュール２００を固有識別して認証させるようにするビーコンモジュール識別情報を保存することができる。
【００４８】
前記ＲＦ処理部２１２はアンテナ部２１６を通じて無線周波数信号を送受信するためのＲＦ処理（例えば、無線周波数信号変調など）を遂行する構成の総称であって、ビーコン信号を放送可能なブルートゥーススマート規格以降のブルートゥース規格に従うビーコン信号を放送するためのＲＦ処理を遂行するか、ペアリングされた使用者端末機３００と両方向ブルートゥースデータ通信のためのＲＦ処理を遂行する。
【００４９】
前記ＵＳＢ通信部２０４は前記シガーソケット装置１００のＵＳＢコネクター部１２５に備えられたコネクター（例えば、Ｄ＋および／またはＤ−）と電気的に連結され、前記ＵＳＢコネクター部１２５に連結された端末機のうちあらかじめ登録された使用者端末機３００（例えば、使用者所有の携帯電話、スマートフォン、タブレットＰＣなどの無線端末機）と両方向ＵＳＢデータ通信を処理することができる。前記両方向ＵＳＢデータ通信はＵＳＢパケットを送受信するＵＳＢ通信機能を含み、前記ＵＳＢコネクター部１２５に連結された外部の端末機に、前記ビーコンモジュール２００を検出しＵＳＢ通信を準備させるようにするＵＳＢプロトコル機能を含むことができる。
【００５０】
本発明の実施方法によれば、前記ＵＳＢ通信部２０４は前記ＵＳＢコネクター部１２５のコネクターと電気的に連結された状態を維持するが、前記ＵＳＢ通信部２０４の両方向ＵＳＢデータ通信機能は指定された条件によって選択的に活性化または非活性化され、前記ＵＳＢ通信部２０４の両方向ＵＳＢデータ通信機能が活性化した場合、前記ＵＳＢコネクター部１２５に連結された端末機３００と両方向ＵＳＢデータ通信を処理することが好ましく、仮に、前記ＵＳＢ通信部２０４の両方向ＵＳＢデータ通信機能が非活性化された場合には、前記ＵＳＢコネクター部１２５に使用者端末機３００が連結されても両方向ＵＳＢデータ通信が処理されなくてもよい。
【００５１】
図２を参照すれば、前記ビーコンモジュール２００は、ブルートゥースペアリング手続きおよび／または端末機登録手続きを遂行して前記識別情報保存領域に使用者端末機３００の有効な端末機識別情報を登録する端末機登録部２２４と、前記識別情報保存領域に登録された有効な端末機識別情報を利用して両方向ブルートゥースデータ通信や両方向ＵＳＢデータ通信のうち少なくとも一つの両方向データ通信をする使用者端末機３００を識別認証する端末機認証部２２８と、前記端末機識別情報を通じて識別認証された使用者端末機３００と両方向ブルートゥースデータ通信や両方向ＵＳＢデータ通信を処理する通信処理部２４０を具備する。一方、実施方法にしたがって前記ビーコンモジュール２００は、前記両方向ブルートゥースデータ通信や両方向ＵＳＢデータ通信のうち少なくとも一つの両方向データ通信を通じて使用者端末機３００からＰＩＮ認証のためのＰＩＮ認証情報の登録を受けて前記ＰＩＮ保存領域に保存するＰＩＮ登録部２３２と、前記識別情報保存領域に登録された端末機識別情報に対応する使用者端末機３００と前記両方向ブルートゥースデータ通信や両方向ＵＳＢデータ通信のうち少なくとも一つの両方向データ通信を連結する場合に、必要に応じて前記ＰＩＮ保存領域に登録されたＰＩＮ認証情報を利用してＰＩＮ認証手続きを遂行するＰＩＮ認証部２３６をさらに具備することができる。
【００５２】
使用者がシガーソケット装置１００を購入して使用者本人が所有した使用者端末機３００とビーコンモジュール２００間のブルートゥースペアリングを試みる場合、前記端末機登録部２２４は前記識別情報保存領域に有効な端末機識別情報が登録されているかを確認する。シガーソケット装置１００のビーコンモジュール２００は、前記識別情報保存領域にＮＵＬＬ値や臨時情報を保存して製作され、使用者がシガーソケット装置１００を購入して最初のペアリングを試みる場合、前記識別情報保存領域に有効な端末機識別情報が登録されていない状態である。この場合、前記端末機登録部２２４はブルートゥースペアリング手続きにしたがって使用者端末機３００とペアリング手続きを遂行する。
【００５３】
使用者が本人所有の使用者端末機３００に前記シガーソケット装置１００のビーコンモジュール２００と通信する特定プログラム３２５を設置した場合、前記端末機登録部２２４は前記ペアリングされた使用者端末機３００のプログラム３２５と通信して前記使用者端末機３００を固有識別認証可能な端末機識別情報を確認し、前記確認された端末機識別情報を前記識別情報保存領域に保存する。このとき、前記端末機識別情報は前記使用者端末機３００を固有識別する情報を含み、前記使用者端末機３００に設置されたプログラム３２５まで固有識別認証する情報であり得る。例えば、前記端末機識別情報は前記使用者端末機３００を固有識別する端末機識別値、前記使用者端末機３００に搭載されてビーコンモジュール２００と通信するプログラム３２５を固有識別するアプリ識別値、前記使用者端末機３００のプログラム３２５とビーコンモジュール２００の間に交換されたキー値、前記各値のうち一つ以上を利用して生成された認証値のうち少なくとも一つまたは二以上の組合わせを含むことができる。
【００５４】
一方、使用者がシガーソケット装置１００を購入して使用者本人が所有した使用者端末機３００と前記シガーソケット装置１００のＵＳＢコネクターをケーブル連結する場合、前記端末機登録部２２４は前記識別情報保存領域に有効な端末機識別情報が登録されているかを確認する。仮に、前記識別情報保存領域に有効な端末機識別情報が登録されていない場合、前記端末機登録部２２４は前記ケーブル連結された使用者端末機３００に設置された特定プログラム３２５と通信を試みる。仮に、前記使用者端末機３００に前記ビーコンモジュール２００と通信する特定プログラム３２５が設置された場合、前記端末機登録部２２４は前記使用者端末機３００のプログラム３２５と通信して前記使用者端末機３００を固有識別認証可能な前記端末機識別情報を確認し、前記確認された端末機識別情報を前記識別情報保存領域に保存する。
【００５５】
前記端末機登録部２２４を通じて前記識別情報保存領域に使用者端末機３００の有効な端末機識別情報が登録された場合、前記端末機認証部２２８は前記識別情報保存領域に登録された端末機識別情報を利用して両方向ブルートゥースデータ通信や両方向ＵＳＢデータ通信のうち少なくとも一つの両方向データ通信を連結する使用者端末機３００を識別認証することができ、前記通信処理部２４０は前記認証された使用者端末機３００と両方向ブルートゥースデータ通信や両方向ＵＳＢデータ通信を処理することができる。
【００５６】
一方、前記使用者端末機３００と両方向ブルートゥースデータ通信や両方向ＵＳＢデータ通信のうち少なくとも一つの両方向データ通信連結時、前記ＰＩＮ登録部２３２は前記ＰＩＮ保存領域に有効なＰＩＮ認証情報が登録されているかを確認する。仮に、前記ＰＩＮ保存領域に有効なＰＩＮ認証情報が登録されていない場合、前記ＰＩＮ登録部２３２は両方向ブルートゥースデータ通信や両方向ＵＳＢデータ通信のうち少なくとも一つの両方向データ通信が連結された使用者端末機３００のプログラム３２５を通じてＰＩＮ認証情報の登録を受けて前記ＰＩＮ保存領域に保存することができる。
【００５７】
前記ＰＩＮ保存領域に有効なＰＩＮ認証情報が登録された場合、前記ＰＩＮ認証部２３６は両方向ブルートゥースデータ通信や両方向ＵＳＢデータ通信のうち少なくとも一つの両方向データ通信が連結された使用者端末機３００のプログラム３２５からＰＩＮ情報の入力を受けて前記ＰＩＮ認証情報を通じて認証するＰＩＮ認証手続きを遂行することができる。好ましくは、前記ＰＩＮ認証部２３６は使用者端末機３００を追加／更新するか、または前記ビーコンモジュール２００の重要設定を変更するか、前記ビーコンモジュール２００の設定を初期化する場合に前記ＰＩＮ認証手続きを遂行することができる。
【００５８】
図２を参照すれば、前記ビーコンモジュール２００は、前記使用者端末機３００と少なくとも一つの両方向データ通信連結時、前記両方向データ通信連結された使用者端末機３００に前記ビーコンモジュール２００を固有識別認証するビーコンモジュール識別情報を提供するモジュール認証処理部２４４を具備する。
【００５９】
前記モジュール認証処理部２４４は前記メモリ部２０８の指定された保存領域に前記ビーコンモジュール２００を固有識別認証するビーコンモジュール識別情報を保存する。前記ビーコンモジュール識別情報は前記ビーコンモジュール２００の製造時点に付与された固有モジュールＩＤを含むことができる。一方、実施方法にしたがって前記モジュール認証処理部２４４は、前記ＰＩＮ認証部２３６を通じて認証された使用者端末機３００から前記ビーコンモジュール２００を固有識別認証するビーコンモジュール識別情報の登録を受けて前記メモリ部２０８の指定された保存領域に保存するか、および／または前記使用者端末機３００のプログラム３２５と指定されたキー交換手続きを遂行して獲得されたキー値を含むビーコンモジュール識別情報を前記メモリ部２０８の指定された保存領域に保存することができる。例えば、前記ビーコンモジュール識別情報は、前記ビーコンモジュール２００に付与されたモジュールＩＤ、端末機と交換されたキー値、前記モジュールＩＤと前記キー値のうち一つ以上の利用して生成された認証値を含むことができる。
【００６０】
前記使用者端末機３００と両方向ブルートゥースデータ通信や両方向ＵＳＢデータ通信のうち少なくとも一つの両方向データ通信連結時、前記モジュール認証処理部２４４は前記ビーコンモジュール識別情報を確認して前記使用者端末機３００に提供することによって、前記使用者端末機３００のプログラム３２５に前記ビーコンモジュール２００を固有識別認証させるように処理することができる。
【００６１】
前記ビーコンモジュール２００に前記モジュール認証処理部２４４が備えられた場合、前記端末機認証部２２８を通じて前記両方向データ通信が連結された使用者端末機３００（または使用者端末機３００のプログラム３２５）を認証するとともに、前記使用者端末機３００のプログラム３２５は前記ビーコンモジュール識別情報を通じて前記シガーソケット装置１００に内蔵されたビーコンモジュール２００を固有識別認証する両方向相互認証が遂行され得、この場合、前記通信処理部２４０は前記両方向相互認証された使用者端末機３００のプログラム３２５と各種情報またはデータを送受信することができる。
【００６２】
本発明の第１実施例に係る図２を参照すれば、前記ビーコンモジュール２００は、ビーコン信号を通じて放送する固有情報を保存する情報保存部２４８と、前記固有情報を含むビーコン信号を放送するように制御するビーコン送出部２６４を具備する。
【００６３】
前記情報保存部２４８は、前記ビーコンモジュール２００の製作時点に前記基本設定メモリ領域にビーコン信号を通じて放送する固有情報を保存することができる。または前記情報保存部２４８は両方向ブルートゥースデータ通信や両方向ＵＳＢデータ通信のうち少なくとも一つの両方向データ通信を通じて固有情報の提供を受けて前記基本設定メモリ領域に保存することができる。
【００６４】
前記ビーコン送出部２６４は、前記メモリ部２０８の基本設定メモリ領域に保存された固有情報を確認し、前記ＲＦ処理部２１２を通じて前記基本設定メモリ領域の固有情報を含む基本設定ビーコン信号を放送するように制御する。好ましくは、前記ビーコン送出部２６４は前記指定された回数以上（または周期的に）前記ビーコン信号を放送するように制御することができる。
【００６５】
本発明の第２実施例に係る図２を参照すれば、前記ビーコンモジュール２００は、ビーコン信号を通じて放送する使い捨てコードを動的生成するコード生成部２６０と、前記生成された使い捨てコードを含むビーコン信号を放送するように制御するビーコン送出部２６４を具備し、前記使い捨てコードを生成するための一つ以上の固定シード値を保存するシード保存部２５２と、前記使い捨てコードを生成するための少なくとも一つの動的シード値を決定するシード決定部２５６のうち一つ以上をさらに具備する。
【００６６】
前記シード保存部２５２は、前記ビーコンモジュール２００の製作時点に前記基本設定メモリ領域に使い捨てコードを生成するための一つ以上の固定シード値を保存することができる。または、前記シード保存部２５２は両方向ブルートゥースデータ通信や両方向ＵＳＢデータ通信のうち少なくとも一つの両方向データ通信を通じて一つ以上の固定シード値の提供を受けて前記基本設定メモリ領域に保存することができる。
【００６７】
前記シード決定部２５６は使い捨てコードを生成する時点に少なくとも一つの動的シード値（例えば、時刻値、または乱数など）を確認する。実施方法にしたがって前記シード決定部２５６は両方向ブルートゥースデータ通信や両方向ＵＳＢデータ通信のうち少なくとも一つの両方向データ通信を通じて動的シード値の提供を受けることができる。
【００６８】
前記コード生成部２６０は指定されたコード生成アルゴリズムを利用してビーコン信号を通じて放送する使い捨てコードを動的生成する。本発明の実施方法によれば、前記コード生成部２６０は前記メモリ部２０８の基本設定メモリ領域に保存された一つ以上の固定シード値と前記シード決定部２５６を通じて決定された少なくとも一つの動的シード値を指定されたコード生成アルゴリズムに代入して、ビーコン信号を通じて放送する使い捨てコードを動的生成することができる。
【００６９】
前記ビーコン送出部２６４は前記コード生成部２６０を通じて動的生成された使い捨てコードを確認し、前記ＲＦ処理部２１２を通じて前記使い捨てコードを含む基本設定ビーコン信号を放送するように制御する。好ましくは、前記ビーコン送出部２６４は前記指定された回数以上（または周期的に）前記ビーコン信号を放送するように制御することができる。
【００７０】
本発明の第３実施例に係る図２を参照すれば、前記ビーコンモジュール２００は、ビーコン信号を通じて放送する固有情報を保存する情報保存部２４８と、前記ビーコン信号を通じて放送する使い捨てコードを動的生成するコード生成部２６０と、前記固有情報と使い捨てコードを含むビーコン信号を放送するように制御するビーコン送出部２６４を具備し、前記使い捨てコードを生成するための一つ以上の固定シード値を保存するシード保存部２５２と前記使い捨てコードを生成するための少なくとも一つの動的シード値を決定するシード決定部２５６のうち一つ以上をさらに具備する。
【００７１】
前記コード生成部２６０は指定されたコード生成アルゴリズムを利用して前記ビーコン信号を通じて放送する使い捨てコードを動的生成し、好ましくは前記メモリ部２０８の基本設定メモリ領域に保存された一つ以上の固定シード値と前記シード決定部２５６を通じて決定された少なくとも一つの動的シード値を指定されたコード生成アルゴリズムに代入して、前記ビーコン信号を通じて放送する使い捨てコードを動的生成することができる。
【００７２】
前記ビーコン送出部２６４は前記メモリ部２０８の基本設定メモリ領域に保存された固有情報を確認し、前記コード生成部２６０を通じて動的生成された使い捨てコードを確認した後、前記ＲＦ処理部２１２を通じて前記固有情報と使い捨てコードを含む基本設定ビーコン信号を放送するように制御する。好ましくは、前記ビーコン送出部２６４は前記指定された回数以上（または周期的に）前記ビーコン信号を放送するように制御することができる。
【００７３】
図２を参照すれば、前記ビーコンモジュール２００は、車両から車両電源が供給されている状態を確認する電源確認部２６８と、前記車両電源の供給を確認する際に前記車両電源を利用して動作する車両電源モードに設定または確認し、前記車両電源の供給が確認されない場合、前記電源充電部１３０に充電された充電電源を利用して動作する充電電源モードに設定または確認するモード設定部２７２を具備し、前記車両電源の供給を確認する際に前記ＲＦ処理部２１２を通じて放送されるビーコン信号を増幅して車両の外部の指定された範囲まで前記ビーコン信号が到達するようにビーコン信号の信号出力を制御する信号制御部２７６を具備する。
【００７４】
前記電源確認部２６８は所定のセンサ（例えば、電流センサ、電圧センサなど、図示されず）を通じて前記車両から車両電源が前記電源供給部１１５に供給されているかを確認することができる。または、前記電源確認部２６８は所定のセンサ（図示されず）を通じて前記電源変換部１２０を通じて車両電源が変換されているかを確認することができる。または、前記電源確認部２６８は前記シガーソケット装置１００の電源が接地された状態であるかを判別して前記車両電源が供給されているかを確認（例えば、車両電源が供給される場合、電源のグラウンドは車体（または紙面）に接地される）することができる。または、前記電源確認部２６８は所定のセンサ（例えば、圧力センサ、図示されず）を通じて前記本体挿入部１０５が車両のシガーソケット挿入口３７５に挿入された状態であるかを判別して前記車両電源が供給されているかを確認（例えば、本体挿入口が車両のシガーソケット挿入口３７５に挿入された場合、車両のエンジンが停止した状態でなければ車両電源が供給される）することができる。好ましくは、前記電源確認部２６８は前記実施例のうち少なくとも一つまたは二以上を組み合わせて車両電源が供給されている状態であるかを確認することができる。
【００７５】
前記電源確認部２６８を通じて前記車両電源が供給されていると確認された場合、前記モード設定部２７２は前記ビーコンモジュール２００の動作モードを前記車両から供給される車両電源を利用して動作する車両電源モードに設定するか、または前記ビーコンモジュール２００の動作モードを車両電源モードで確認することができる。
【００７６】
一方、前記電源確認部２６８を通じて前記車両電源が供給されていると確認されない場合、前記モード設定部２７２は前記ビーコンモジュール２００の動作モードを前記電源充電部１３０に充電された充電電源を利用して動作する充電電源モードに設定するか、または前記ビーコンモジュール２００の動作モードを充電電源モードで確認することができる。
【００７７】
本発明の実施方法によれば、前記モード設定部２７２は前記シガーソケット装置１００に備えられた別途の操作部を通じて前記ビーコンモジュール２００の動作モードを設定せずとも前記車両電源の供給状態によって前記シガーソケット装置１００に内蔵されたビーコンモジュール２００の動作モードを設定または確認することができる。
【００７８】
前記ビーコンモジュール２００の動作モードが車両電源モードに設定または確認される場合、前記信号制御部２７６は前記ＲＦ処理部２１２を通じて放送されるビーコン信号を増幅（例えば、あらかじめ計算された出力に増幅、または最大出力に増幅）して車両の外部の指定された範囲（例えば、車両の外部の３０ｍ）まで前記ビーコン信号が到達するようにビーコン信号の信号出力を制御することができる。通常車両のシガーソケット挿入口３７５は運転席と助手席の間のギア操作部付近に備えられるが、この位置は車両内の各種電子機器の電磁波の干渉が激しいだけでなく、車両のフレームないし車体をなす金属材質や車両の窓ガラスに付着した各種遮断フィルムなどによってビーコンモジュール２００のアンテナ部２１６を通じて送出される無線周波数信号が車両の外部の指定された範囲まで全方位的に到達することが難しい問題点がある。もちろん、前記シガーソケット装置１００のビーコンモジュール２００が別途の遮断フィルムを付着していない車両のフロントガラス付近に位置するのであれば、比較的容易にガラスを透過して無線周波数信号を車両の外部の指定された範囲まで到達させることができるが、殆どの車両に備えられたシガーソケット挿入口３７５の位置は車両内の各種電子機器の電磁波干渉と車両のフレームないし車体の金属材質や車両の窓ガラスに付着した遮断フィルムなどによって、シガーソケット装置１００に内蔵されたビーコンモジュール２００の無線周波数信号を全方位的に車両の外部の指定された範囲まで到達させることが難しい。そこで、前記信号制御部２７６は前記シガーソケット装置１００が車両のシガーソケット挿入口３７５に挿入されて車両から電源の供給を受ける場合、前記ＲＦ処理部２１２を通じて放送されるビーコン信号を使用可能な範囲内であらかじめ計算された出力に増幅（または少なくとも低電力モード以上の出力）するかまたは最大出力に増幅して送出されるように制御することによって、前記ビーコンモジュール２００で放送するビーコン信号が車両内の各種電子機器の電磁波干渉や金属材質ないし遮断フィルムなどの妨害を克服して車両の外部の指定された範囲まで到達できるように制御することができる。
【００７９】
一方、前記ビーコンモジュール２００の動作モードが充電電源モードに設定または確認される場合、前記信号制御部２７６は前記ＲＦ処理部２１２を通じて放送されるビーコン信号を低電源モード状態で放送するように制御することができる。好ましくは、前記信号制御部２７６は前記ＲＦ処理部２１２を通じて放送されるビーコン信号をＢＬＥモードの出力で放送するように制御することができる。
【００８０】
図２を参照すれば、前記ビーコンモジュール２００は、両方向ブルートゥースデータ通信や両方向ＵＳＢデータ通信のうち少なくとも一つの両方向データ通信が連結された使用者端末機３００からビーコンモジュール２００を通じて用途定義ビーコン信号を選択的に放送するように制御するための設定情報を受信する通信処理部２４０と、前記設定情報に対応する用途定義ビーコン信号を放送するように制御する送出制御部２８４を具備する。
【００８１】
両方向ブルートゥースデータ通信や両方向ＵＳＢデータ通信のうち少なくとも一つの両方向データ通信を通じて使用者端末機３００を固有識別認証して通信連結された場合、前記通信処理部２４０は前記両方向データ通信が連結された使用者端末機３００からビーコンモジュール２００を通じて用途定義ビーコン信号を選択的に放送するように制御するための設定情報を受信する。好ましくは、前記設定情報は用途定義ビーコン信号に含まれる固有情報、用途定義ビーコン信号に含まれる使い捨てコードを生成するためのシード値（例えば、一つ以上の固定シード値および／または少なくとも一つの動的シード値）、用途定義ビーコン信号に含ませるために生成された使い捨てコード、指定された用途に合うようにビーコン信号を放送するための用途定義ビーコン信号のプロトコル構造のうち少なくとも一つまたは２以上の組合わせを含むことができる。
【００８２】
本発明の第１実施例に係る図２を参照すれば、前記ビーコンモジュール２００は、両方向ブルートゥースデータ通信や両方向ＵＳＢデータ通信のうち少なくとも一つの両方向データ通信を通じて使用者端末機３００から用途定義ビーコン信号を通じて放送する固有情報を含む設定情報を受信する通信処理部２４０と、前記用途定義ビーコン信号のために受信された固有情報を保存する情報保存部２４８と、前記固有情報を含む用途定義ビーコン信号を放送するように制御するビーコン送出部２６４を具備する。
【００８３】
前記通信処理部２４０は、両方向ブルートゥースデータ通信や両方向ＵＳＢデータ通信のうち少なくとも一つの両方向データ通信を通じて使用者端末機３００と通信して前記使用者端末機３００から用途定義ビーコン信号を通じて放送する固有情報を含む設定情報を受信する。本発明の実施方法によれば、前記通信処理部２４０を通じて受信される固有情報は、用途定義のために固定された値であるか、または用途定義のために使用者端末機３００側（または指定されたサーバー３７０）で生成された使い捨てコードを含むことができる。
【００８４】
前記情報保存部２４８は、前記通信処理部２４０を通じて使用者端末機３００から受信された設定情報に含まれた固有情報を前記メモリ部２０８の用途定義メモリ領域に保存する。
【００８５】
前記送出制御部２８４は、前記基本設定メモリ領域に保存された情報に基づく基本設定ビーコン信号を放送するか、または前記用途定義メモリ領域に保存された固有情報を含む用途定義ビーコン信号を放送するかを判断し、前記用途定義ビーコン信号を放送するようにと判断された場合、前記ビーコン送出部２６４を通じて前記用途定義ビーコン信号を放送するように制御する。
【００８６】
前記送出制御部２８４を通じて用途定義ビーコン信号を放送するようにと判断された場合、前記ビーコン送出部２６４は前記メモリ部２０８の用途定義メモリ領域に保存された固有情報を確認し、前記ＲＦ処理部２１２を通じて前記固有情報を含む用途定義ビーコン信号を放送するように制御する。好ましくは、前記ビーコン送出部２６４は前記指定された回数以上（または周期的に）前記ビーコン信号が送出するように制御することができる。
【００８７】
本発明の第２実施例に係る図２を参照すれば、前記ビーコンモジュール２００は、両方向ブルートゥースデータ通信や両方向ＵＳＢデータ通信のうち少なくとも一つの両方向データ通信を通じて使用者端末機３００から用途定義ビーコン信号を通じて放送する使い捨てコードを動的生成するための一つ以上のシード値を含む設定情報を受信する通信処理部２４０と、前記用途定義ビーコン信号を通じて放送する使い捨てコードを動的生成するコード生成部２６０と、前記生成された使い捨てコードを含む用途定義ビーコン信号を放送するように制御するビーコン送出部２６４を具備し、前記用途定義ビーコン信号のために受信されたシード値を保存するシード保存部２５２と、前記使い捨てコードを生成するためのシード値を決定するシード決定部２５６のうち一つ以上をさらに具備する。
【００８８】
前記通信処理部２４０は、両方向ブルートゥースデータ通信や両方向ＵＳＢデータ通信のうち少なくとも一つの両方向データ通信を通じて使用者端末機３００と通信して前記使用者端末機３００から用途定義ビーコン信号を通じて放送するシード値を含む設定情報を受信する。例えば、前記通信処理部２４０は、前記使い捨てコードを生成するための固定シード値を受信するか、および／または前記使い捨てコードを生成するための動的シード値を受信することができる。
【００８９】
前記シード保存部２５２は、前記通信処理部２４０を通じて使用者端末機３００から受信された設定情報に含まれた一つ以上のシード値を前記メモリ部２０８の用途定義メモリ領域に保存する。前記設定情報に含まれたシード値は使い捨てコードを動的生成するための固定シード値を含むことが出来、実施方法にしたがって前記使い捨てコードを生成するために使用者端末機３００側で決定した動的シード値を含むことができる。
【００９０】
前記送出制御部２８４は前記基本設定メモリ領域に保存された情報に基づく基本設定ビーコン信号を放送するか、または前記用途定義メモリ領域に保存されたシード値を利用して生成される使い捨てコードを含む用途定義ビーコン信号を放送するかを判断し、前記用途定義ビーコン信号を放送するようにと判断された場合、前記ビーコン送出部２６４を通じて前記用途定義ビーコン信号を放送するように制御する。
【００９１】
前記送出制御部２８４を通じて用途定義ビーコン信号を放送するようにと判断された場合、前記シード決定部２５６は前記用途定義メモリ領域に保存されたシード値（例えば、固定シード値および／または動的シード値）を確認するかおよび／または使い捨てコードを生成するための別途の動的シード値を決定する。前記コード生成部２６０は指定されたコード生成アルゴリズムを利用して前記用途定義ビーコン信号を通じて放送する使い捨てコードを動的生成する。本発明の実施方法によれば、前記コード生成部２６０は、前記メモリ部２０８の用途定義メモリ領域から確認された一つ以上のシード値および／または別途決定された動的シード値を、指定されたコード生成アルゴリズムに代入して前記用途定義ビーコン信号を通じて放送する使い捨てコードを動的生成することができる。
【００９２】
前記ビーコン送出部２６４は、前記コード生成部２６０を通じて動的生成された使い捨てコードを確認し、前記ＲＦ処理部２１２を通じて前記使い捨てコードを含む用途定義ビーコン信号を放送するように制御する。好ましくは、前記ビーコン送出部２６４は、前記指定された回数以上（または周期的に）前記ビーコン信号を放送するように制御することができる。
【００９３】
本発明の第３実施例に係る図２を参照すれば、前記ビーコンモジュール２００は、両方向ブルートゥースデータ通信や両方向ＵＳＢデータ通信のうち少なくとも一つの両方向データ通信を通じて使用者端末機３００から用途定義ビーコン信号を通じて放送する固有情報を含み、前記用途定義ビーコン信号を通じて放送する使い捨てコードを動的生成するための一つ以上のシード値を含む設定情報を受信する通信処理部２４０と、前記用途定義ビーコン信号を通じて放送する固有情報を保存する情報保存部２４８と、前記用途定義ビーコン信号を通じて放送する使い捨てコードを動的生成するコード生成部２６０と、前記固有情報と使い捨てコードを含む用途定義ビーコン信号を放送するように制御するビーコン送出部２６４を具備し、前記用途定義ビーコン信号のために受信されたシード値を保存するシード保存部２５２と、前記使い捨てコードを生成するためのシード値を決定するシード決定部２５６のうち一つ以上をさらに具備する。
【００９４】
前記通信処理部２４０は、両方向ブルートゥースデータ通信や両方向ＵＳＢデータ通信のうち少なくとも一つの両方向データ通信を通じて使用者端末機３００と通信して前記使用者端末機３００から用途定義ビーコン信号を通じて放送する固有情報を含み、前記用途定義ビーコン信号を通じて放送する使い捨てコードを動的生成するための一つ以上のシード値を含む設定情報を受信する。
【００９５】
前記情報保存部２４８は、前記通信処理部２４０を通じて使用者端末機３００から受信された設定情報に含まれた固有情報を前記メモリ部２０８の用途定義メモリ領域に保存する。
【００９６】
前記シード保存部２５２は前記通信処理部２４０を通じて使用者端末機３００から受信された設定情報に含まれた一つ以上のシード値を前記メモリ部２０８の用途定義メモリ領域に保存する。前記設定情報に含まれたシード値は、使い捨てコードを動的生成するための固定シード値を含むことができ、実施方法にしたがって前記使い捨てコードを生成するために使用者端末機３００側で決定した動的シード値を含むことができる。
【００９７】
前記送出制御部２８４は前記基本設定メモリ領域に保存された情報に基づく基本設定ビーコン信号を放送するか、または前記用途定義メモリ領域に保存された固有情報を含み、前記用途定義メモリ領域に保存されたシード値を利用して生成される使い捨てコードを含む用途定義ビーコン信号を放送するかを判断し、前記用途定義ビーコン信号を放送するようにと判断された場合、前記ビーコン送出部２６４を通じて前記用途定義ビーコン信号を放送するように制御する。
【００９８】
前記送出制御部２８４を通じて用途定義ビーコン信号を放送するようにと判断された場合、前記シード決定部２５６は前記用途定義メモリ領域に保存されたシード値（例えば、固定シード値および／または動的シード値）を確認するかおよび／または使い捨てコードを生成するための別途の動的シード値を決定する。前記コード生成部２６０は指定されたコード生成アルゴリズムを利用して前記用途定義ビーコン信号を通じて放送する使い捨てコードを動的生成する。本発明の実施方法によれば、前記コード生成部２６０は前記メモリ部２０８の用途定義メモリ領域から確認された一つ以上のシード値および／または別途決定された動的シード値を指定されたコード生成アルゴリズムに代入して、前記用途定義ビーコン信号を通じて放送する使い捨てコードを動的生成することができる。
【００９９】
前記ビーコン送出部２６４は前記メモリ部２０８の用途定義メモリ領域に保存された固有情報を確認し、前記コード生成部２６０を通じて動的生成された使い捨てコードを確認した後、前記ＲＦ処理部２１２を通じて前記固有情報と使い捨てコードを含む用途定義ビーコン信号を放送するように処理する。好ましくは、前記ビーコン送出部２６４は前記指定された回数以上（または周期的に）前記ビーコン信号を放送するように制御することができる。
【０１００】
本発明の第１用途定義ビーコン実施例によれば、前記送出制御部２８４は両方向ブルートゥースデータ通信や両方向ＵＳＢデータ通信のうち少なくとも一つの両方向データ通信が連結された使用者端末機３００の制御命令にしたがって用途定義ビーコン信号を放送するかまたは基本設定ビーコン信号を放送するかを決定することができる。
【０１０１】
本発明の第２用途定義ビーコン実施例によれば、前記送出制御部２８４は、指定されたシナリオにしたがって前記用途定義メモリ領域に有効な設定情報が保存された状態で、前記ＵＳＢコネクター部１２５と使用者端末機３００間のＵＳＢ連結が連結されるかまたは分離されるかの可否に基づいて用途定義ビーコン信号を放送するかまたは基本設定ビーコン信号を放送するかを決定することができる。例えば、前記用途定義メモリ領域に保存された設定情報を通じて放送されるビーコン信号が指定された駐車場の駐車位置確認サービスのための用途に定義されたビーコン信号である場合、前記送出制御部２８４は前記ＵＳＢコネクター部１２５と使用者端末機３００間のＵＳＢ連結が連結された場合に使用者が前記車両を運行していると見なして駐車位置確認のための用途定義ビーコン信号を放送するように制御する反面、前記用途定義ビーコン信号の放送中に前記ＵＳＢコネクター部１２５と使用者端末機３００間のＵＳＢ連結が分離されると使用者が駐車を終えて車両から降りたと見なして駐車位置確認のための用途定義ビーコン信号を放送しないように制御するかまたは非活性化させることができる。
【０１０２】
本発明の第３用途定義ビーコン実施例によれば、前記送出制御部２８４は、指定されたシナリオにしたがって前記用途定義メモリ領域に有効な設定情報が保存された状態で、前記使用者端末機３００と両方向ブルートゥースデータ通信が可能であるかどうかの可否に基づいて用途定義ビーコン信号を放送するかまたは基本設定ビーコン信号を放送するかを決定することができる。例えば、前記用途定義メモリ領域に保存された設定情報を通じて放送されるビーコン信号が指定された駐車場の駐車料金決済サービスのための用途に定義されたビーコン信号である場合、前記送出制御部２８４は前記使用者端末機３００と両方向ブルートゥースデータ通信が可能である場合に使用者が前記車両を運行していると見なして駐車料金決済のための用途定義ビーコン信号を放送するように制御することができる。
【０１０３】
本発明の第４用途定義ビーコン実施例によれば、前記送出制御部２８４は、指定されたシナリオにしたがって前記用途定義メモリ領域に有効な設定情報が保存されるとともに用途定義ビーコン信号を放送するように制御するものの、指定された有効時間が経過したかまたは前記使用者端末機３００から両方向ブルートゥースデータ通信や両方向ＵＳＢデータ通信のうち少なくとも一つの両方向データ通信を通じて特定の信号が受信された場合に、用途定義ビーコン信号を放送しないように制御するかまたは非活性化させることができる。例えば、前記用途定義メモリ領域に保存された設定情報を通じて放送されるビーコン信号が指定された駐車場の駐車料金決済サービスのための用途に定義されたビーコン信号である場合、前記送出制御部２８４は前記用途定義メモリ領域に前記設定情報が保存されるとともに駐車料金決済のための用途定義ビーコン信号を放送するように制御するものの、前記使用者端末機３００から両方向ブルートゥースデータ通信を通じて前記駐車料金に対する決済完了信号が受信された場合に前記駐車料金決済のための用途定義ビーコン信号を放送しないように制御するかまたは非活性化させることができる。
【０１０４】
本発明の第５用途定義ビーコン実施例によれば、前記送出制御部２８４は前記第１〜第４用途定義ビーコン実施例のうち少なくとも二以上を部分的に組み合わせて用途定義ビーコン信号を放送するかまたは基本設定ビーコン信号を放送するかを決定することができる。
【０１０５】
本発明の実施方法によれば、前記通信処理部２４０は前記ビーコン送出部２６４を通じて基本設定ビーコン信号が放送中であるか、または前記送出制御部２８４の制御により用途定義ビーコン信号が放送中であるかを確認し、前記基本設定ビーコン信号と用途定義ビーコン信号のうちいずれか一つのビーコン信号を放送しているかに対する状態を識別するビーコン送出情報を構成して、前記両方向ブルートゥースデータ通信や両方向ＵＳＢデータ通信のうち少なくとも一つの両方向データ通信を通じて前記使用者端末機３００に提供することができ、これによって前記使用者端末機３００は前記ビーコンモジュール２００を通じて放送中であるビーコン信号を判別することができる。
【０１０６】
図２を参照すれば、前記ビーコンモジュール２００は、前記ビーコンモジュール２００が車両電源を通じて動作し、前記ビーコンモジュール２００と使用者端末機３００間の両方向ブルートゥースデータ通信が連結された場合に前記ＵＳＢ通信部２０４の両方向ＵＳＢデータ通信を非活性化し、そうでない場合に前記ＵＳＢ通信部２０４の両方向ＵＳＢデータ通信を活性化するＵＳＢ制御部２８０を具備し、前記通信処理部２４０は前記ＵＳＢ通信部２０４の両方向ＵＳＢデータ通信が活性化した場合、前記ＵＳＢ通信部２０４を通じて前記ＵＳＢコネクター部１２５に連結された使用者端末機３００と両方向ＵＳＢデータ通信を処理することができる。
【０１０７】
前記ビーコンモジュール２００が車両電源を通じて動作することによって、前記ビーコンモジュール２００の動作モードが車両電源モードに設定または確認されるとともに使用者端末機３００のブルートゥース機能が活性化して前記ビーコンモジュール２００と使用者端末機３００間の両方向ブルートゥース通信が可能である場合、前記ＵＳＢ制御部２８０は前記ＵＳＢ通信部２０４を通した両方向ＵＳＢデータ通信機能が非活性化されるように制御することができる。すなわち、使用者が車両のシガーソケット挿入口３７５にシガーソケット装置１００を挿入した後、前記シガーソケット装置１００のＵＳＢコネクター部１２５にある外部装置（例えば、ナビゲーション装置ないし使用者端末機３００など）をケーブル連結したのであれば、これは使用者が前記シガーソケット装置１００を電源の供給装置として利用して前記ケーブル連結された外部装置に車両電源を供給しようとする意図である確率が高い。ところで、このとき、外部装置がＵＳＢコネクター部１２５に連結されるたびに両方向ＵＳＢデータ通信を活性化するのであれば、使用者は該当外部装置とビーコンモジュール２００間の両方向ＵＳＢデータ通信を意図していないのにかかわらず、両方向ＵＳＢデータ通信が活性化されてこれを解除しなければならない不便な点が発生され得る。そこで、前記ＵＳＢ制御部２８０は前記ビーコンモジュール２００が車両電源を通じて動作するとともに、前記ビーコンモジュール２００と使用者端末機３００間の両方向ブルートゥースデータ通信が連結されて別途のデータ通信が不要な場合に、前記ＵＳＢ通信部２０４の両方向ＵＳＢデータ通信を非活性化することによって、前記シガーソケット装置１００がＵＳＢコネクター部１２５を具備した電源の供給装置として運用されるように制御することができる。
【０１０８】
一方、前記車両電源の供給が確認されないかまたは前記ビーコンモジュール２００が前記充電電源を通じて動作するかまたは前記使用者端末機３００との両方向ブルートゥースデータ通信が確認されない場合、前記ＵＳＢ制御部２８０は前記ＵＳＢ通信部２０４を通した両方向ＵＳＢデータ通信機能が活性化するように制御することができる。すなわち、使用者が前記車両電源の供給が確認されないかまたは前記ビーコンモジュール２００が前記充電電源を通じて動作するかまたは前記使用者端末機３００との両方向ブルートゥースデータ通信が確認されない状態で使用者端末機３００をシガーソケット装置１００のＵＳＢコネクター部１２５にケーブル連結したのであれば、これは使用者が前記シガーソケット装置１００のビーコンモジュール２００と両方向ＵＳＢデータ通信をしようとするものと見なして前記ＵＳＢ通信部２０４を通した両方向ＵＳＢデータ通信機能が活性化するように制御することができる。
【０１０９】
図３は本発明の実施方法に係る使用者端末機３００とプログラム３２５の機能構成を図示した図面である。図３を参照すれば、前記使用者端末機３００は、制御部３０２とメモリ部３２０と画面出力部３０４と使用者入力部３０６とサウンド処理部３０８とケーブル通信部３１０とブルートゥースモジュール３１２と近距離網通信部３１４と無線網通信部３１６とＵＳＩＭリーダー部３１８およびＵＳＩＭを具備し、電源の供給のためのバッテリーを具備する。
【０１１０】
前記制御部３０２は前記使用者端末機３００の動作を制御する構成の総称であって、少なくとも一つのプロセッサと実行メモリを含んで構成され、使用者端末機３００に備えられた各構成部とバス（ＢＵＳ）を通じて連結される。本発明によれば、前記制御部３０２は前記プロセッサを通じて使用者端末機３００に備えられる少なくとも一つのプログラムコードを前記実行メモリにローディングして演算し、その結果を前記バスを通じて少なくとも一つの構成部に伝達して使用者端末機３００の動作を制御する。以下、便宜上プログラムコードの形態で具現される本発明のプログラム３２５構成を制御部３０２内に図示して説明する。
【０１１１】
前記メモリ部３２０は使用者端末機３００の保存資源に対応する不揮発性メモリの総称であって、前記制御部３０２を通じて実行される少なくとも一つのプログラムコードと、前記プログラムコードが利用する少なくとも一つのデータセットを保存して維持する。前記メモリ部３２０は、基本的に使用者端末機３００の運営体制に対応するシステムプログラムコードとシステムデータセット、使用者端末機３００の無線通信連結を処理する通信プログラムコードと通信データセットおよび少なくとも一つのアプリケーションコードと応用データセットを保存し、本発明のプログラム３２５に対応するプログラムコードとデータセットも前記メモリ部３２０に保存される。
【０１１２】
前記画面出力部３０４は、画面出力機（例えば、ＬＣＤ（Ｌｉｑｕｉｄ  Ｃｒｙｓｔａｌ  Ｄｉｓｐｌａｙ）など）とこれを駆動する駆動モジュールで構成され、前記制御部３０２と連動されて前記制御部３０２の各種演算結果のうち画面出力に対応する演算結果を前記画面出力装置に出力する。
【０１１３】
前記使用者入力部３０６は一つ以上の使用者入力器（例えば、ボタン、キーパッド、タッチパッド、画面出力部３０４と連動するタッチスクリーンなど）とこれを駆動する駆動モジュールで構成され、前記制御部３０２と連動されて前記制御部３０２の各種演算を命令する命令を入力するか、または前記制御部３０２の演算に必要なデータを入力する。
【０１１４】
前記サウンド処理部３０８はスピーカーとマイクロホンとおよびこれを駆動する駆動モジュールで構成され、前記制御部３０２の各種演算結果のうちサウンド出力に対応するサウンドデータをデコーディング（Ｄｅｃｏｄｉｎｇ）して前記スピーカーを通じて出力するか、または前記マイクロホンを通じて入力されるサウンド信号をエンコーディング（Ｅｎｃｏｄｉｎｇ）して前記制御部３０２に伝達する。
【０１１５】
前記ケーブル通信部３１０は有線ケーブルを利用して電源の供給を受けるかまたは両方向ＵＳＢデータ通信を提供する構成部であって、前記有線ケーブルを通じて供給される電源は前記バッテリーに充電される。前記ケーブル通信部３１０は有線ケーブル連結時に両方向ＵＳＢデータ通信が可能であるかを判別し、ＵＳＢ通信が可能である場合、有線ケーブルを利用して両方向ＵＳＢデータ通信を処理する。
【０１１６】
前記ブルートゥースモジュール３１２は、ブルートゥース通信規格によって１０ｍ前後（最大１００ｍ前後）の近距離でブルートゥース基盤無線周波数信号を送受信する。好ましくは、前記ブルートゥース通信規格は、ブルートゥース４．０以降の規格を含むことができるが、必ずしもこれに限定されるものではなく、ブルートゥース４．０以前の規格によってブルートゥース基盤無線周波数信号を送受信してもよい。前記ブルートゥースモジュール３１２は、シガーソケット装置１００に内蔵されたビーコンモジュール２００と両方向ブルートゥースデータ通信を処理することができる。
【０１１７】
前記無線網通信部３１６と近距離網通信部３１４は使用者端末機３００を指定された通信網に接続させる通信資源の総称である。前記無線網通信部３１６は使用者端末機３００を基地局を経由する無線通信網に接続させる通信資源の総称であって、特定周波数帯域の無線周波数信号を送受信するアンテナ、ＲＦモジュール、基底帯域モジュール、信号処理モジュールを少なくとも一つ含んで構成され、前記制御部３０２と連結されて前記制御部３０２の各種演算結果のうち無線通信に対応する演算結果を無線通信網を通じて伝送するかまたは無線通信網を通じてデータを受信して前記制御部３０２に伝達するとともに、前記無線通信の接続、登録、通信、ハンドオフの手続きを遂行する。本発明によれば、前記無線網通信部３１６は使用者端末機３００を交換機を経由する通話チャネルとデータチャンネルを含む通話網に連結することができ、場合によっては前記交換機を経由せずにパケット通信基盤の無線網データ通信（例えば、インターネット）を提供するデータ網に連結することができる。
【０１１８】
前記近距離網通信部３１４は一定距離以内（例えば、１０ｍ）で無線周波数信号を通信媒体として利用して通信セッションを連結し、これに基づいて使用者端末機３００を通信網に接続させる通信資源の総称であって、好ましくはＷｉ−Ｆｉ通信、公衆無線通信、ＵＷＢのうち少なくとも一つを通じて使用者端末機３００を通信網に接続させることができる。本発明の実施方法によれば、前記近距離網通信部３１４は前記無線網通信部３１６と統合または分離された形態で具現され得る。本発明によれば、前記近距離網通信部３１４は無線ＡＰを通じて使用者端末機３００をパケット通信基盤の近距離無線データ通信を提供するデータ網に連結する。
【０１１９】
前記ＵＳＩＭリーダー部３１８は、ＩＳＯ／ＩＥＣ  ７８１６規格に基づいて使用者端末機３００に搭載または着脱される汎用加入者識別モジュール（Ｕｎｉｖｅｒｓａｌ  Ｓｕｂｓｃｒｉｂｅｒ  Ｉｄｅｎｔｉｔｙ  Ｍｏｄｕｌｅ）と少なくとも一つのデータセットを交換する構成の総称であって、前記データセットはＡＰＤＵ（Ａｐｐｌｉｃａｔｉｏｎ  Ｐｒｏｔｏｃｏｌ  Ｄａｔａ  Ｕｎｉｔ）を通じて半二重通信方式で交換される。
【０１２０】
前記制御部３０２は、前記通信資源が接続可能なデータ網をシガーソケット装置１００のビーコンモジュール２００と連動するプログラム３２５をダウンロードして前記メモリ部３２０に保存し、以後、前記プログラム３２５が駆動されて本発明に係る動作を遂行することができる。
【０１２１】
図３を参照すれば、前記使用者端末機３００のプログラム３２５は、前記シガーソケット装置１００に備えられたＵＳＢコネクター部１２５とのケーブル連結による両方向ＵＳＢデータ通信と前記ビーコンモジュール２００のブルートゥース通信機能を利用した両方向ブルートゥースデータ通信のうち少なくとも一つを通じて、シガーソケット装置１００に内蔵されたビーコンモジュール２００と両方向データ通信を連結する通信連結部３３０を具備する。
【０１２２】
前記通信連結部３３０は前記ブルートゥースモジュール３１２を通じてペアリングされたビーコンモジュール２００を確認し、前記ブルートゥースモジュール３１２を通じて前記ペアリングされたビーコンモジュール２００と両方向ブルートゥースデータ通信を連結する。
【０１２３】
一方、前記ケーブル通信部３１０と前記シガーソケット装置１００のＵＳＢコネクター部１２５がケーブルを通じて連結され、前記ビーコンモジュール２００の両方向ＵＳＢデータ通信機能が活性化した場合、前記通信連結部３３０は前記ケーブルを利用した両方向ＵＳＢデータ通信を通じて前記シガーソケット装置１００に内蔵されたビーコンモジュール２００を検出し、前記ビーコンモジュール２００と両方向ＵＳＢデータ通信を連結することができる。
【０１２４】
本発明の実施方法によれば、前記通信連結部３３０は前記ブルートゥースモジュール３１２を通じて前記シガーソケット装置１００のビーコンモジュール２００とペアリングがなされた場合、前記ビーコンモジュール２００と両方向ブルートゥースデータ通信を優先的に連結し、前記両方向ブルートゥースデータ通信が不可能な場合に選択的に前記ビーコンモジュール２００と両方向ＵＳＢデータ通信を連結することができる。
【０１２５】
図３を参照すれば、前記使用者端末機３００のプログラム３２５は、シガーソケット装置１００のビーコンモジュール２００にＰＩＮ認証情報を登録する手続き、および／または前記ビーコンモジュール２００のＰＩＮ認証情報を利用するＰＩＮ認証手続きを遂行するＰＩＮ認証手続き部３３５を具備する。
【０１２６】
前記通信連結部３３０を通じてシガーソケット装置１００のビーコンモジュール２００と両方向ブルートゥースデータ通信や両方向ＵＳＢデータ通信のうち少なくとも一つの両方向データ通信が連結され、前記ビーコンモジュール２００のＰＩＮ保存領域に有効なＰＩＮ認証情報が登録されていない場合、前記ＰＩＮ認証手続き部３３５は前記両方向データ通信連結されたビーコンモジュール２００にＰＩＮ認証情報を登録する手続きを遂行することができる。
【０１２７】
一方、前記方向データ通信連結されたビーコンモジュール２００にＰＩＮ認証情報が登録された場合、前記ＰＩＮ認証手続き部３３５は指定されたシナリオにしたがって使用者端末機３００を追加／更新するか、または前記ビーコンモジュール２００の重要設定を変更するか、前記ビーコンモジュール２００の設定を初期化する場合に使用者からＰＩＮ情報の入力を受けて前記ビーコンモジュール２００のＰＩＮ認証情報を利用するＰＩＮ認証手続きを遂行することができる。
【０１２８】
図３を参照すれば、前記使用者端末機３００のプログラム３２５は、前記両方向データ通信連結されたビーコンモジュール２００に前記使用者端末機３００（またはプログラム３２５）に対する端末機識別情報が登録されていない場合、前記両方向データ通信連結を利用して前記ビーコンモジュール２００に前記端末機識別情報を登録する手続きを遂行し、前記両方向データ通信連結されたビーコンモジュール２００に使用者端末機３００（またはプログラム３２５）に対する端末機識別情報が登録された場合、前記両方向データ通信を通じて前記ビーコンモジュール２００に前記端末機識別情報を提供して前記ビーコンモジュール２００を通じて前記使用者端末機３００（またはプログラム３２５）の有効性を認証する手続きを遂行する端末機認証手続き部３４０を具備する。
【０１２９】
前記通信連結部３３０を通じて両方向データ通信連結されたシガーソケット装置１００のビーコンモジュール２００に前記使用者端末機３００に対する有効な端末機識別情報が登録されていない場合、または前記ＰＩＮ認証の結果として前記ビーコンモジュール２００に端末機識別情報を追加／更新する場合、前記端末機認証手続き部３４０は前記使用者端末機３００（またはプログラム３２５）を固有に識別認証する端末機識別情報を構成して前記両方向データ通信連結されたシガーソケット装置１００のビーコンモジュール２００に提供する。前記ビーコンモジュール２００は指定された識別情報保存領域に前記端末機識別情報を保存する。
【０１３０】
前記通信連結部３３０を通じて両方向データ通信連結されたシガーソケット装置１００のビーコンモジュール２００に有効な端末機識別情報が登録された場合、前記端末機認証手続き部３４０は前記両方向データ通信連結されたシガーソケット装置１００のビーコンモジュール２００に使用者端末機３００（またはプログラム３２５）の有効性を認証するための端末機識別情報を提供する。前記ビーコンモジュール２００は指定された識別情報保存領域に登録された端末機識別情報を利用して前記提供された端末機識別情報の有効性を認証してその結果を応答する。
【０１３１】
本発明の実施方法によれば、前記シガーソケット装置１００のビーコンモジュール２００で端末機識別情報を通じて前記使用者端末機３００（またはプログラム３２５）の有効性を認証した場合、前記ビーコンモジュール２００と使用者端末機３００間の両方向データ通信を通じて各種情報またはデータを送受信することが可能となる。
【０１３２】
図３を参照すれば、前記使用者端末機３００のプログラム３２５は、前記使用者端末機３００のメモリ部３２０にシガーソケット装置１００に内蔵されたビーコンモジュール２００のビーコンモジュール識別情報が登録されていない場合、前記両方向データ通信連結を利用して前記ビーコンモジュール２００のビーコンモジュール識別情報をメモリ部３２０に登録する手続きを遂行し、前記使用者端末機３００のメモリ部３２０にシガーソケット装置１００に内蔵されたビーコンモジュール２００のビーコンモジュール識別情報が登録された場合、前記両方向データ通信を通じて前記ビーコンモジュール２００のビーコンモジュール識別情報の提供を受けて前記ビーコンモジュール２００の有効性を認証する手続きを遂行するモジュール認証手続き部３４５を具備する。
【０１３３】
前記使用者端末機３００の指定された保存領域に前記シガーソケット装置１００のビーコンモジュール２００を固有に識別認証するビーコンモジュール識別情報が保存されていない場合、前記モジュール認証手続き部３４５は前記両方向データ通信連結されたビーコンモジュール２００から前記ビーコンモジュール２００に対するビーコンモジュール識別情報の提供を受けて指定された保存領域に保存するか、または前記両方向データ通信連結されたビーコンモジュール２００を固有に識別認証するビーコンモジュール識別情報を生成して前記ビーコンモジュール２００に提供した後、指定された保存領域に保存する。好ましくは、前記ビーコンモジュール識別情報は暗号化されて保存され得る。
【０１３４】
前記使用者端末機３００の指定された保存領域に前記ビーコンモジュール識別情報が保存された場合、前記モジュール認証手続き部３４５は前記両方向データ通信連結されたシガーソケット装置１００のビーコンモジュール２００からビーコンモジュール識別情報を受信し、指定された保存領域に保存されたビーコンモジュール識別情報を利用して前記受信されたビーコンモジュール識別情報の有効性を認証する。
【０１３５】
本発明の実施方法によれば、前記モジュール認証手続き部３４５が前記ビーコンモジュール識別情報を通じて前記両方向データ通信連結されたシガーソケット装置１００のビーコンモジュール２００の有効性を認証した場合、前記ビーコンモジュール２００と使用者端末機３００間の両方向データ通信を通じて各種情報またはデータを送受信することが可能となる。
【０１３６】
図３を参照すれば、前記使用者端末機３００のプログラム３２５は、前記両方向データ通信連結されたシガーソケット装置１００のビーコンモジュール２００を通じて特定用途に定義されたビーコン信号を放送するように制御するための設定情報を生成する情報生成部３５０と、前記両方向データ通信を通じて前記シガーソケット装置１００のビーコンモジュール２００に前記設定情報を提供する通信手続き部３５５を具備する。前記通信手続き部３５５は前記端末機認証手続き部３４０および／またはモジュール認証手続き部３４５を通じて実行された認証手続きが認証された場合に前記シガーソケット装置１００のビーコンモジュール２００と各種情報またはデータを送受信する手続きを遂行する。
【０１３７】
前記通信連結部３３０を通じて前記シガーソケット装置１００のビーコンモジュール２００と通信連結前、中、後の一時点に、前記情報生成部３５０は使用者から入力される情報と指定されたサーバー３７０から受信される情報のうち少なくとも一つまたは二以上を組み合わせて、シガーソケット装置１００のビーコンモジュール２００を通じて特定用途に定義されたビーコン信号を放送するように制御するための設定情報を生成する。
【０１３８】
前記情報生成部３５０を通じてシガーソケット装置１００のビーコンモジュール２００を通じて特定用途に定義されたビーコン信号を放送するように制御するための設定情報が生成されると、前記通信手続き部３５５は前記両方向データ通信連結されたシガーソケット装置１００のビーコンモジュール２００に前記設定情報を提供し、前記ビーコンモジュール２００は前記設定情報に対応する用途定義ビーコン信号を放送するように制御する。
【０１３９】
図３を参照すれば、前記使用者端末機３００のプログラム３２５は、前記シガーソケット装置１００のビーコンモジュール２００に前記設定情報を提供した場合、前記シガーソケット装置１００のビーコンモジュール２００から基本設定ビーコン信号と用途定義ビーコン信号のうちいずれか一つのビーコン信号放送を識別するビーコン送出情報を受信する通信手続き部３５５と、前記ビーコン送出情報を判読して前記ビーコンモジュール２００を通じて前記設定情報に対応する用途定義ビーコン信号が放送中であるかを判別する信号判別部３６０と、前記用途定義ビーコン信号の放送中または放送中断に対応する情報を出力する情報出力部３６５を具備する。
【０１４０】
本発明の第１ビーコン判別実施例によれば、前記シガーソケット装置１００のビーコンモジュール２００に前記設定情報を提供した場合、前記通信手続き部３５５は前記シガーソケット装置１００のビーコンモジュール２００から前記ビーコンモジュール２００を通じて基本設定ビーコン信号を放送中であるかまたは前記設定情報に対応する用途定義ビーコン信号を放送中であるかを判別するためのビーコン送出情報を受信し、前記信号判別部３６０は前記受信されたビーコン送出情報を判読して前記ビーコンモジュール２００を通じて前記設定情報に対応する用途定義ビーコン信号が放送中であるかまたは基本設定ビーコン信号が放送中であるかを判別する。
【０１４１】
仮に、前記ビーコン送出情報の判読結果、シガーソケット装置１００のビーコンモジュール２００を通じて基本設定ビーコン信号が放送中であれば、前記情報出力部３６５は前記基本設定ビーコン信号放送に対応する情報（または用途定義ビーコン信号の放送中断）に対応する情報を出力する。一方、前記ビーコン送出情報の判読結果、シガーソケット装置１００のビーコンモジュール２００を通じて前記設定情報に対応する用途定義ビーコン信号が放送中であれば、前記情報出力部３６５は前記設定情報に対応する用途定義ビーコン信号放送に対応する情報を出力する。
【０１４２】
一方、前記シガーソケット装置１００のビーコンモジュール２００に前記設定情報を提供した後にも前記ビーコンモジュール２００を通じて用途定義ビーコン信号が送出されないのであれば、前記通信手続き部３５５は前記用途定義ビーコン信号を放送するための設定情報を前記両方向データ通信を通じてシガーソケット装置１００のビーコンモジュール２００に再び提供することができる。
【０１４３】
本発明の第２ビーコン判別実施例によれば、前記シガーソケット装置１００のビーコンモジュール２００に前記設定情報を提供した場合、前記信号判別部３６０は前記ブルートゥースモジュール３１２と連動して前記シガーソケット装置１００のビーコンモジュール２００を通じて送出されて、前記ブルートゥースモジュール３１２で受信された（例えば、ビーコン信号はペアリングなしに送出可能であり、使用者端末機３００のブルートゥースモジュール３１２にも受信される）ビーコン信号を確認し、前記ビーコンモジュール２００を通じて送出されたビーコン信号を判読して前記ビーコンモジュール２００を通じて前記設定情報に対応する用途定義ビーコン信号が放送中であるかまたは基本設定ビーコン信号が放送中であるかを判別することができる。
【０１４４】
仮に、前記ビーコンモジュール２００から送出されたビーコン信号の判読結果、シガーソケット装置１００のビーコンモジュール２００を通じて基本設定ビーコン信号が放送中であれば、前記情報出力部３６５は前記基本設定ビーコン信号放送に対応する情報（または用途定義ビーコン信号の放送中断）に対応する情報を出力する。一方、前記ビーコンモジュール２００から送出されたビーコン信号の判読結果、シガーソケット装置１００のビーコンモジュール２００を通じて前記設定情報に対応する用途定義ビーコン信号が放送中であれば、前記情報出力部３６５は前記設定情報に対応する用途定義ビーコン信号放送に対応する情報を出力する。
【０１４５】
一方、前記シガーソケット装置１００のビーコンモジュール２００に前記設定情報を提供した後にも前記ビーコンモジュール２００を通じて用途定義ビーコン信号が送出されないのであれば、前記通信手続き部３５５は前記用途定義ビーコン信号を放送するための設定情報を前記両方向データ通信を通じてシガーソケット装置１００のビーコンモジュール２００に再び提供することができる。
【０１４６】
本発明の第３ビーコン判別実施例によれば、前記シガーソケット装置１００のビーコンモジュール２００と使用者端末機３００の間に両方向ＵＳＢデータ通信が連結されて前記両方向ＵＳＢデータ通信を通じて前記ビーコンモジュール２００に前記設定情報を提供した場合、前記信号判別部３６０は前記シガーソケット装置１００のＵＳＢコネクター部１２５からケーブルが脱去されてケーブル連結が解除されるか、または前記ケーブル通信部３１０から前記ケーブルが脱去されて前記ケーブル連結が解除されるかを確認する。
【０１４７】
本発明の実施方法によれば、前記シガーソケット装置１００のビーコンモジュール２００は前記ケーブル連結解除時に自動で用途定義ビーコン信号の放送を中断することができる。この場合、前記ケーブル連結解除時、前記信号判別部３６０は前記シガーソケット装置１００のビーコンモジュール２００を通じて前記設定情報に対応する用途定義ビーコン信号が放送中断されたと判別することができ、前記情報出力部３６５は前記基本設定ビーコン信号放送に対応する情報（または用途定義ビーコン信号の放送中断）に対応する情報を出力することができる。
【０１４８】
一方、前記第３ビーコン判別実施例の変形例として、前記信号判別部３６０は前記ビーコンモジュール２００と使用者端末機３００の間の両方向ＵＳＢデータ通信が可能であるかを確認することができる。仮に、前記ビーコンモジュール２００が、両方向ＵＳＢデータ通信ができないときに自動で用途定義ビーコン信号の放送を中断するように設定されているのであれば、前記信号判別部３６０は前記ビーコンモジュール２００と使用者端末機３００の間の両方向ＵＳＢデータ通信が可能であるかを確認して、両方向ＵＳＢデータ通信ができないときに前記ビーコンモジュール２００を通じて前記用途定義ビーコン信号の放送が中断されたと判別することができ、前記情報出力部３６５は前記基本設定ビーコン信号放送に対応する情報（または用途定義ビーコン信号の放送中断）に対応する情報を出力することができる。
【０１４９】
本発明の第４ビーコン判別実施例によれば、前記シガーソケット装置１００のビーコンモジュール２００と使用者端末機３００の間に両方向ブルートゥースデータ通信が連結されて前記両方向ブルートゥースデータ通信を通じて前記ビーコンモジュール２００に前記設定情報を提供した場合、前記信号判別部３６０は前記ビーコンモジュール２００と両方向ブルートゥースデータ通信が可能であるかを確認することができる。
【０１５０】
本発明の実施方法によれば、前記シガーソケット装置１００のビーコンモジュール２００は前記両方向ブルートゥースデータ通信ができないときに自動で用途定義ビーコン信号の放送を中断することができる。この場合、前記両方向ブルートゥースデータ通信ができないときに、前記信号判別部３６０は前記シガーソケット装置１００のビーコンモジュール２００を通じて前記設定情報に対応する用途定義ビーコン信号が放送中断されたと判別することができ、前記情報出力部３６５は前記基本設定ビーコン信号放送に対応する情報（または用途定義ビーコン信号の放送中断）に対応する情報を出力することができる。
【０１５１】
本発明の第５ビーコン判別実施例によれば、前記信号判別部３６０は前記第１〜第４ビーコン判別実施例を二以上組み合わせて前記シガーソケット装置１００のビーコンモジュール２００を通じて基本設定ビーコン信号が放送中（または用途定義ビーコン信号の放送中断）であるかまたは前記設定情報に対応する用途定義ビーコン信号が放送中であるかを判別することができ、これによって本発明は限定されない。
【０１５２】
本発明の他のビーコン判別実施例によれば、前記通信手続き部３５５は使用者操作（または指定されたサーバー３７０からの情報受信）によって、前記シガーソケット装置１００のビーコンモジュール２００を通じて放送中である用途定義ビーコン信号の放送を中断を要請する送出中断情報を構成して前記ビーコンモジュール２００に提供することができ、前記ビーコンモジュール２００は前記送出中断情報を受信してこれに基づいて前記用途定義ビーコン信号の放送を中断することができる。
【０１５３】
図４は本発明の実施方法に係るビーコンモジュール２００のモード設定／確認過程を図示した図面である。
【０１５４】
より詳細には、図４は車両電源の供給または充電電源の供給により、シガーソケット装置１００に内蔵されたビーコンモジュール２００の動作モードを車両電源の供給モードまたは充電電源の供給モードに自動設定／切り替える過程を図示したものであって、本発明が属した技術分野で通常の知識を有した者であれば、図４を参照および／または変形して前記ビーコンモジュール２００のモード設定／確認過程に対する多様な実施方法（例えば、一部の段階が省略されるか、または順序が変更された実施方法）を類推することができるが、本発明は前記類推されるすべての実施方法を含んで構成され、図４に図示された実施方法のみによってその技術的特徴が限定されない。
【０１５５】
図４を参照すれば、シガーソケット装置１００に内蔵されたビーコンモジュール２００に動作電源が供給されると４００、前記ビーコンモジュール２００は車両から電源が供給された状態であるかを確認する４０５。もし、車両から電源が供給された状態であれば、前記ビーコンモジュール２００は動作モードを車両電源モードに設定するかまたは確認する４１０。
【０１５６】
一方、前記動作電源が車両から供給されたものではなく電源充電部１３０に充電された電源が供給された状態であれば、前記ビーコンモジュール２００は動作モードを充電電源モードに設定するかまたは確認する４１５。
【０１５７】
図５は本発明の実施方法によって端末機識別情報とビーコンモジュール識別情報を登録する過程を図示した図面である。
【０１５８】
より詳細には、図５はシガーソケット装置１００のビーコンモジュール２００と使用者端末機３００の間に両方向ブルートゥースデータ通信や両方向ＵＳＢデータ通信のうち少なくとも一つの両方向データ通信が連結される場合、前記ビーコンモジュール２００の識別情報保存領域に前記使用者端末機３００に対する端末機識別情報を登録する過程を図示したものであって、本発明が属した技術分野で通常の知識を有した者であれば、図５を参照および／または変形して前記端末機識別情報登録過程に対する多様な実施方法（例えば、一部の段階が省略されるか、または順序が変更された実施方法）を類推することができるが、本発明は前記類推されるすべての実施方法を含んで構成され、図５に図示された実施方法のみによってその技術的特徴が限定されない。
【０１５９】
図５を参照すれば、シガーソケット装置１００のビーコンモジュール２００は車両電源と電源充電部１３０に充電された電源のうちいずれか一つの電源を通じて動作中に、両方向ＵＳＢデータ通信と両方向ブルートゥースデータ通信のうちいずれか一つの両方向データ通信を通じて使用者端末機３００と通信連結を確認し５００、前記使用者端末機３００のプログラム３２５も前記両方向ＵＳＢデータ通信と両方向ブルートゥースデータ通信のうちいずれか一つの通信を通じてシガーソケット装置１００のビーコンモジュール２００と通信連結を確認する５００。
【０１６０】
前記ビーコンモジュール２００と使用者端末機３００間の両方向データ通信が連結された場合、前記ビーコンモジュール２００は指定された識別情報保存領域に有効な端末機識別情報が登録されているかを確認する５０５。仮に、前記識別情報保存領域に有効な端末機識別情報が登録されていない場合、前記ビーコンモジュール２００は前記両方向データ通信を通じて前記使用者端末機３００に端末機識別情報を要請することができる。
【０１６１】
一方、本発明の他の実施方法によれば、前記使用者端末機３００のプログラム３２５は前記ビーコンモジュール２００と両方向データ通信が連結された場合、前記ビーコンモジュール２００に該当使用者端末機３００（またはプログラム３２５）に対する有効な端末機識別情報が登録されているかを確認する５１５。仮に、前記プログラム３２５が最初実行されるかまたは以前に端末機識別情報を登録した履歴がないのであれば、前記使用者端末機３００のプログラム３２５は前記ビーコンモジュール２００に有効な端末機識別情報が登録されていないものと確認することができる。
【０１６２】
前記ビーコンモジュール２００から端末機識別情報が要請されるか、または前記使用者端末機３００のプログラム３２５で前記ビーコンモジュール２００に自分の有効な端末機識別情報が登録されていないと判断された場合、前記使用者端末機３００のプログラム３２５は前記使用者端末機３００（またはプログラム３２５）に対する有効な端末機識別情報を構成して５２０、前記両方向データ通信を通じて前記ビーコンモジュール２００に前記端末機識別情報を提供する手続きを遂行し５２５、前記ビーコンモジュール２００は前記両方向データ通信を通じて前記端末機識別情報を受信し、前記識別情報保存領域に前記端末機識別情報を保存する５３０。
【０１６３】
一方、本発明の他の実施方法によれば、前記ビーコンモジュール２００の識別情報保存領域に有効な端末機識別情報が既登録されており、前記識別情報保存領域の端末機識別情報を更新するかまたは追加する場合、前記ビーコンモジュール２００の識別情報保存領域に既登録された有効な端末機識別情報に対応する使用者端末機３００を通じて前記ビーコンモジュール２００のＰＩＮ保存領域に登録されたＰＩＮ認証情報を通したＰＩＮ認証手続き後に前記端末機識別情報を前記ビーコンモジュール２００に登録することができる。
【０１６４】
一方、前記ビーコンモジュール２００に前記端末機識別情報が登録されるか、または前記ビーコンモジュール２００と両方向データ通信が連結された場合、前記使用者端末機３００のプログラム３２５は前記ビーコンモジュール２００に対するビーコンモジュール識別情報が前記使用者端末機３００のメモリ部３２０に保存されているかを確認する５３５。仮に、前記ビーコンモジュール識別情報が保存されていない場合、前記使用者端末機３００のプログラム３２５は前記両方向データ通信を通じて前記ビーコンモジュール２００に既登録されたビーコンモジュール識別情報を要請して確認することができ５４０、前記ビーコンモジュール２００は前記使用者端末機３００の要請に応答して前記両方向データ通信を通じて既登録されたビーコンモジュール識別情報を前記使用者端末機３００に提供することができる５４０。一方、本発明の他の実施方法によれば、前記使用者端末機３００のプログラム３２５は前記ビーコンモジュール２００に設定する所定のビーコンモジュール識別情報を決定して前記両方向データ通信を通じて前記ビーコンモジュール２００に提供することができ５４０、前記ビーコンモジュール２００は前記両方向データ通信を通じて前記ビーコンモジュール識別情報を受信して保存することができる５４０。前記使用者端末機３００のプログラム３２５はメモリ部３２０に前記ビーコンモジュール２００に登録／設定されたビーコンモジュール識別情報を保存する５４５。
【０１６５】
図６は本発明の実施方法に係る使用者端末機３００認証ないしビーコンモジュール２００認証過程を図示した図面である。
【０１６６】
より詳細には、図６は前記図５に図示された過程を通じてシガーソケット装置１００のビーコンモジュール２００に使用者端末機３００の有効な端末機識別情報が登録され、前記使用者端末機３００に前記ビーコンモジュール２００に対する有効なビーコンモジュール識別情報が登録された場合、それぞれの識別情報を利用して使用者端末機３００のプログラム３２５とビーコンモジュール２００が相互認証を遂行する過程を図示したものであって、本発明が属した技術分野で通常の知識を有した者であれば、図６を参照および／または変形して前記使用者端末機３００認証ないしビーコンモジュール２００認証過程に対する多様な実施方法（例えば、一部の段階が省略されるか、または順序が変更された実施方法）を類推することができるが、本発明は前記類推されるすべての実施方法を含んで構成され、図６に図示された実施方法のみによってその技術的特徴が限定されない。
【０１６７】
図６を参照すれば、シガーソケット装置１００のビーコンモジュール２００に前記使用者端末機３００（またはプログラム３２５）に対する有効な端末機識別情報が登録された場合、前記使用者端末機３００のプログラム３２５は両方向データ通信を通じてビーコンモジュール２００で該当使用者端末機３００（またはプログラム３２５）を固有に識別認証する端末機識別情報を提供し６００、前記ビーコンモジュール２００は前記使用者３１端末機３００のプログラム３２５から両方向データ通信を通じて前記端末機識別情報を受信する６０５。
【０１６８】
前記ビーコンモジュール２００は識別情報保存領域に登録された端末機識別情報を利用して前記使用者端末機３００から受信された端末機識別情報の有効性を認証する６１０。もし、前記端末機識別情報の有効性が認証されなければ、前記ビーコンモジュール２００は前記使用者端末機３００のプログラム３２５に認証エラーを含む認証結果を提供する６１５。一方、前記端末機識別情報の有効性が認証された場合、前記ビーコンモジュール２００は前記使用者端末機３００のプログラム３２５に前記端末機識別情報の認証成功に対応する認証結果を提供する６１５。前記端末機識別情報の有効性が認証された場合、前記ビーコンモジュール２００は前記認証された使用者端末機３００のプログラム３２５から用途定義ビーコン信号を放送するための設定情報を受信することができる。
【０１６９】
前記使用者端末機３００のプログラム３２５は前記端末機識別情報の認証結果を受信して判読する６２０。仮に、前記端末機識別情報の有効性が認証されない場合、前記使用者端末機３００のプログラム３２５は認証エラーを出力する６２５。一方、前記端末機識別情報の有効性が認証された場合、前記使用者端末機３００のプログラム３２５は、前記ビーコンモジュール２００を通じて用途定義ビーコン信号を放送するように制御するための設定情報を提供することができる。
【０１７０】
前記使用者端末機３００のプログラム３２５は、前記使用者端末機３００の指定された保存領域に前記両方向データ通信が連結されたビーコンモジュール２００に対するビーコンモジュール識別情報が保存されているかを確認する６３０。仮に、前記ビーコンモジュール２００に対するビーコンモジュール識別情報が保存されていない場合、前記使用者端末機３００のプログラム３２５は前記図５に図示された過程を通じて前記ビーコンモジュール識別情報を設定／登録する手続きを遂行することができる。一方、前記使用者端末機３００の指定された保存領域に前記ビーコンモジュール２００に対するビーコンモジュール識別情報が保存された場合、前記使用者端末機３００のプログラム３２５は両方向データ通信を利用して前記ビーコンモジュール２００にビーコンモジュール識別情報を要請し６３５、前記ビーコンモジュール２００はビーコンモジュール識別情報を確認して６４０、前記使用者端末機３００のプログラム３２５に提供する６４５。
【０１７１】
前記使用者端末機３００のプログラム３２５は指定された保存領域に保存されたビーコンモジュール識別情報を利用して前記ビーコンモジュール２００から受信されたビーコンモジュール識別情報の有効性を認証する６５０。仮に、前記ビーコンモジュール識別情報の有効性が認証されなければ、前記使用者端末機３００のプログラム３２５は認証エラーを出力する６２５。
【０１７２】
一方、前記ビーコンモジュール識別情報の有効性が認証されると、前記使用者端末機３００のプログラム３２５は前記ビーコンモジュール２００にビーコンモジュール識別情報の認証結果を提供する６５５。前記ビーコンモジュール２００は前記使用者端末機３００のプログラム３２５から前記ビーコンモジュール識別情報の認証結果を受信し６６０、以後、前記使用者端末機３００のプログラム３２５から用途定義ビーコン信号を放送するための設定情報を受信することができる。
【０１７３】
図７は本発明の第１実施方法に係るビーコンモジュール２００のビーコン信号の放送過程を図示した図面である。より詳細には、図７はビーコンモジュール２００の固有情報を含む基本設定ビーコン信号を電源の供給状態にしたがって選択的に放送するものの、図６の過程を通じて認証された使用者端末機３００のプログラム３２５から設定情報が受信される場合、前記設定情報に対応する用途定義ビーコン信号を放送する過程を図示したものであって、本発明が属した技術分野で通常の知識を有した者であれば、図７を参照および／または変形して前記ビーコンモジュール２００のビーコン信号の放送過程に対する多様な実施方法（例えば、一部の段階が省略されるか、または順序が変更された実施方法）を類推することができるが、本発明は前記類推されるすべての実施方法を含んで構成され、図７に図示された実施方法のみによってその技術的特徴が限定されない。
【０１７４】
図７を参照すれば、シガーソケット装置１００に内蔵されたビーコンモジュール２００に動作電源が供給されると、前記ビーコンモジュール２００は基本設定メモリ領域に保存された固有情報を確認し７００、前記固有情報を含む基本設定ビーコン信号を生成する７０５。
【０１７５】
もし、ビーコンモジュール２００の動作モードが車両から電源の供給を受けて動作する車両電源モードであれば、前記ビーコンモジュール２００は前記車両から供給される電源を利用して前記基本設定ビーコン信号を増幅（例えば、あらかじめ計算された出力に増幅、または使用可能な最大出力に増幅）して放送する７１０。
【０１７６】
一方、ビーコンモジュール２００の動作モードが電源充電部１３０に充電された電源の供給を受けて動作する充電電源モードであれば、前記ビーコンモジュール２００は低電源モードで基本設定ビーコン信号を放送する７１５。
【０１７７】
前記ビーコンモジュール２００は前記図６に図示された過程を通じて認証された使用者端末機３００のプログラム３２５から図１０に図示された過程を通じて生成された設定情報が受信されるかを確認する７２０。もし、前記設定情報が受信されないのであれば、前記ビーコンモジュール２００は前記基本設定ビーコン信号を放送する過程を指定された回数以上または周期的に繰り返す。
【０１７８】
一方、前記認証された使用者端末機３００のプログラム３２５から設定情報が受信されると、前記ビーコンモジュール２００は前記設定情報に含まれた値／情報を指定された用途定義メモリ領域に保存し７２５、前記設定情報の固有情報を含むかおよび／または前記設定情報に含まれた値を利用して動的生成された使い捨てコードを含む用途定義ビーコン信号を生成する７３０。
【０１７９】
もし、ビーコンモジュール２００の動作モードが車両から電源の供給を受けて動作する車両電源モードであれば、前記ビーコンモジュール２００は前記車両から供給される電源を利用して前記用途定義ビーコン信号を増幅（例えば、あらかじめ計算された出力に増幅、または使用可能な最大出力に増幅）して放送する７３５。
【０１８０】
一方、ビーコンモジュール２００の動作モードが電源充電部１３０に充電された電源の供給を受けて動作する充電電源モードであれば、前記ビーコンモジュール２００は低電源モードで用途定義ビーコン信号を放送する７４０。
【０１８１】
前記ビーコンモジュール２００は前記用途定義ビーコン信号を放送中に前記用途定義ビーコン信号の放送中断可否を判断する７４５。もし、前記用途定義ビーコン信号の放送中断が決定されなければ、前記ビーコンモジュール２００は前記用途定義ビーコン信号を放送する過程を指定された回数以上または周期的に繰り返す。
【０１８２】
一方、前記用途定義ビーコン信号の放送中断が決定されれば、前記ビーコンモジュール２００は前記基本設定ビーコン信号を放送する過程を遂行する。
【０１８３】
図８は本発明の第２実施方法に係るビーコンモジュール２００のビーコン信号の放送過程を図示した図面である。より詳細には、図８はビーコンモジュール２００を通じて生成された使い捨てコードを含む基本設定ビーコン信号を電源の供給状態にしたがって選択的に放送するものの、図６の過程を通じて認証された使用者端末機３００のプログラム３２５から設定情報が受信される場合、前記設定情報に対応する用途定義ビーコン信号を放送する過程を図示したものであって、本発明が属した技術分野で通常の知識を有した者であれば、図８を参照および／または変形して前記ビーコンモジュール２００のビーコン信号の放送過程に対する多様な実施方法（例えば、一部の段階が省略されるか、または順序が変更された実施方法）を類推することができるが、本発明は前記類推されるすべての実施方法を含んで構成され、図８に図示された実施方法のみによってその技術的特徴が限定されない。
【０１８４】
図８を参照すれば、シガーソケット装置１００に内蔵されたビーコンモジュール２００に動作電源が供給されると、前記ビーコンモジュール２００は基本設定メモリ領域に保存された一つ以上の固定シード値を確認し８００、使い捨てコードを生成するための少なくとも一つの動的シード値を決定した後８０５、指定されたコード生成アルゴリズムに一つ以上の固定シード値と少なくとも一つの動的シード値を代入して使い捨てコードを動的生成する８１０。もし、前記使い捨てコードが生成されれば、前記ビーコンモジュール２００は前記使い捨てコードを含む基本設定ビーコン信号を生成する８１５。
【０１８５】
もし、ビーコンモジュール２００の動作モードが車両から電源の供給を受けて動作する車両電源モードであれば、前記ビーコンモジュール２００は前記車両から供給される電源を利用して前記基本設定ビーコン信号を増幅（例えば、あらかじめ計算された出力に増幅、または使用可能な最大出力に増幅）して放送する８２０。
【０１８６】
一方、ビーコンモジュール２００の動作モードが電源充電部１３０に充電された電源の供給を受けて動作する充電電源モードであれば、前記ビーコンモジュール２００は低電源モードで基本設定ビーコン信号を放送する８２５。
【０１８７】
前記ビーコンモジュール２００は前記図６に図示された過程を通じて認証された使用者端末機３００のプログラム３２５から図１０に図示された過程を通じて生成された設定情報が受信されるかを確認する８３０。もし、前記設定情報が受信されないのであれば、前記ビーコンモジュール２００は前記基本設定ビーコン信号を放送する過程を指定された回数以上または周期的に繰り返す。
【０１８８】
一方、前記認証された使用者端末機３００のプログラム３２５から設定情報が受信されると、前記ビーコンモジュール２００は前記設定情報に含まれた値／情報を指定された用途定義メモリ領域に保存し８３５、前記設定情報の固有情報を含むかおよび／または前記設定情報に含まれた値を利用して動的生成された使い捨てコードを含む用途定義ビーコン信号を生成する８４０。
【０１８９】
もし、ビーコンモジュール２００の動作モードが車両から電源の供給を受けて動作する車両電源モードであれば、前記ビーコンモジュール２００は前記車両から供給される電源を利用して前記用途定義ビーコン信号を増幅（例えば、あらかじめ計算された出力に増幅、または使用可能な最大出力に増幅）して放送する８４５。
【０１９０】
一方、ビーコンモジュール２００の動作モードが電源充電部１３０に充電された電源の供給を受けて動作する充電電源モードであれば、前記ビーコンモジュール２００は低電源モードで用途定義ビーコン信号を放送する８５０。
【０１９１】
前記ビーコンモジュール２００は前記用途定義ビーコン信号を放送中に前記用途定義ビーコン信号の放送中断可否を判断する８５５。もし、前記用途定義ビーコン信号の放送中断が決定されなければ、前記ビーコンモジュール２００は前記用途定義ビーコン信号を放送する過程を指定された回数以上または周期的に繰り返す。
【０１９２】
一方、前記用途定義ビーコン信号の放送中断が決定されれば、前記ビーコンモジュール２００は前記基本設定ビーコン信号を放送する過程を遂行する。
【０１９３】
図９は本発明の第３実施方法に係るビーコンモジュール２００のビーコン信号の放送過程を図示した図面である。
【０１９４】
より詳細には、図９はビーコンモジュール２００の固有情報を含んで前記ビーコンモジュール２００を通じて生成された使い捨てコードを含む基本設定ビーコン信号を電源の供給状態にしたがって選択的に放送するものの、図６の過程を通じて認証された使用者端末機３００のプログラム３２５から設定情報が受信される場合、前記設定情報に対応する用途定義ビーコン信号を放送する過程を図示したものであって、本発明が属した技術分野で通常の知識を有した者であれば、図９を参照および／または変形して前記ビーコンモジュール２００のビーコン信号の放送過程に対する多様な実施方法（例えば、一部の段階が省略されるか、または順序が変更された実施方法）を類推することができるが、本発明は前記類推されるすべての実施方法を含んで構成され、図９に図示された実施方法のみによってその技術的特徴が限定されない。
【０１９５】
図９を参照すれば、シガーソケット装置１００に内蔵されたビーコンモジュール２００に動作電源が供給されると、前記ビーコンモジュール２００は基本設定メモリ領域に保存された固有情報を確認する９００。前記ビーコンモジュール２００は基本設定メモリ領域に保存された一つ以上の固定シード値を確認し９０５、使い捨てコードを生成するための少なくとも一つの動的シード値を決定した後９１０、指定されたコード生成アルゴリズムに一つ以上の固定シード値と少なくとも一つの動的シード値を代入して使い捨てコードを動的生成する９１５。もし、前記使い捨てコードが生成されれば、前記ビーコンモジュール２００は前記使い捨てコードを含む基本設定ビーコン信号を生成する９２０。
【０１９６】
もし、ビーコンモジュール２００の動作モードが車両から電源の供給を受けて動作する車両電源モードであれば、前記ビーコンモジュール２００は前記車両から供給される電源を利用して前記基本設定ビーコン信号を増幅（例えば、あらかじめ計算された出力に増幅、または使用可能な最大出力に増幅）して放送する９２５。
【０１９７】
一方、ビーコンモジュール２００の動作モードが電源充電部１３０に充電された電源の供給を受けて動作する充電電源モードであれば、前記ビーコンモジュール２００は低電源モードで基本設定ビーコン信号を放送する９３０。
【０１９８】
前記ビーコンモジュール２００は前記図６に図示された過程を通じて認証された使用者端末機３００のプログラム３２５から図１０に図示された過程を通じて生成された設定情報が受信されるかを確認する９３５。もし、前記設定情報が受信されないのであれば、前記ビーコンモジュール２００は前記基本設定ビーコン信号を放送する過程を指定された回数以上または周期的に繰り返す。
【０１９９】
一方、前記認証された使用者端末機３００のプログラム３２５から設定情報が受信されると、前記ビーコンモジュール２００は前記設定情報に含まれた値／情報を指定された用途定義メモリ領域に保存し９４０、前記設定情報の固有情報を含むかおよび／または前記設定情報に含まれた値を利用して動的生成された使い捨てコードを含む用途定義ビーコン信号を生成する９４５。
【０２００】
もし、ビーコンモジュール２００の動作モードが車両から電源の供給を受けて動作する車両電源モードであれば、前記ビーコンモジュール２００は前記車両から供給される電源を利用して前記用途定義ビーコン信号を増幅（例えば、あらかじめ計算された出力に増幅、または使用可能な最大出力に増幅）して放送する９５０。
【０２０１】
一方、ビーコンモジュール２００の動作モードが電源充電部１３０に充電された電源の供給を受けて動作する充電電源モードであれば、前記ビーコンモジュール２００は低電源モードで用途定義ビーコン信号を放送する９５５。
【０２０２】
前記ビーコンモジュール２００は前記用途定義ビーコン信号を放送中に前記用途定義ビーコン信号の放送中断可否を判断する９６０。もし、前記用途定義ビーコン信号の放送中断が決定されなければ、前記ビーコンモジュール２００は前記用途定義ビーコン信号を放送する過程を指定された回数以上または周期的に繰り返す。
【０２０３】
一方、前記用途定義ビーコン信号の放送中断が決定されると、前記ビーコンモジュール２００は前記基本設定ビーコン信号を放送する過程を遂行する。
【０２０４】
図１０は本発明の実施方法に係る用途定義ビーコン信号を放送するための設定情報を提供する過程を図示した図面である。より詳細には、図１０は前記図６に図示された過程を通じて認証された使用者端末機３００のプログラム３２５が設定情報を生成してシガーソケット装置１００のビーコンモジュール２００に提供することによって、前記ビーコンモジュール２００に前記図７〜図９に図示された過程のように用途定義ビーコン信号を放送させるように処理する過程を図示したものであって、本発明が属した技術分野で通常の知識を有した者であれば、図１０を参照および／または変形して前記設定情報提供過程に対する多様な実施方法（例えば、一部の段階が省略されるか、または順序が変更された実施方法）を類推することができるが、本発明は前記類推されるすべての実施方法を含んで構成され、図１０に図示された実施方法のみによってその技術的特徴が限定されない。
【０２０５】
図１０を参照すれば、使用者端末機３００のプログラム３２５はシガーソケット装置１００のビーコンモジュール２００を通じて用途定義ビーコン信号を放送するように制御するための設定情報を生成する１０００。前記使用者端末機３００のプログラム３２５は前記図６に図示された過程を通じて認証される前に前記設定情報を生成することが可能であり、好ましくは前記図６に図示された過程を通じて認証された後に前記設定情報を生成することができる。前記設定情報は使用者操作を通じて入力された情報および／または指定されたサーバー３７０から受信された情報を少なくとも一つまたは二以上組み合わせて生成され得る。
【０２０６】
前記設定情報が生成されると、前記使用者端末機３００のプログラム３２５は通信連結されたシガーソケット装置１００のビーコンモジュール２００に前記設定情報を提供して１００５、前記ビーコンモジュール２００は前記図７〜図９に図示された過程を通じて前記設定情報に対応する用途定義ビーコン信号を放送することができる。
【０２０７】
一方、前記使用者端末機３００のプログラム３２５は前記ビーコンモジュール２００に前記設定情報を提供した後、前記ビーコンモジュール２００を通じて前記設定情報に対応する用途定義ビーコン信号が放送されるかを確認する１０１０。
【０２０８】
本発明の第１ビーコン判別実施例によれば、前記使用者端末機３００のプログラム３２５は前記シガーソケット装置１００のビーコンモジュール２００から前記ビーコンモジュール２００を通じて基本設定ビーコン信号を放送中であるかまたは前記設定情報に対応する用途定義ビーコン信号を放送中であるかを判別するためのビーコン送出情報を受信し、前記受信されたビーコン送出情報を判読して前記ビーコンモジュール２００を通じて前記設定情報に対応する用途定義ビーコン信号が放送中であるかまたは基本設定ビーコン信号が放送中であるかを判別することができる。
【０２０９】
本発明の第２ビーコン判別実施例によれば、前記使用者端末機３００のプログラム３２５は前記使用者端末機３００のブルートゥースモジュール３１２と連動して前記シガーソケット装置１００のビーコンモジュール２００を通じて送出されて記ブルートゥースモジュール３１２で受信された（例えば、ビーコン信号はペアリングなしに放送可能で使用者端末機３００のブルートゥースモジュール３１２にも受信される）ビーコン信号を確認し、前記ビーコンモジュール２００を通じて送出されたビーコン信号を判読して前記ビーコンモジュール２００を通じて前記設定情報に対応する用途定義ビーコン信号が放送中であるかまたは基本設定ビーコン信号が放送中であるかを判別することができる。
【０２１０】
本発明の第３ビーコン判別実施例によれば、前記シガーソケット装置１００のビーコンモジュール２００と使用者端末機３００の間に両方向ＵＳＢデータ通信が連結された場合、前記使用者端末機３００のプログラム３２５は前記シガーソケット装置１００のＵＳＢコネクター部１２５からケーブルが脱去されてケーブル連結が解除されるか、または前記ケーブル通信部３１０から前記ケーブルが脱去されて前記ケーブル連結が解除されるかを確認することができ、前記ケーブル連結解除時に前記シガーソケット装置１００のビーコンモジュール２００を通じて前記設定情報に対応する用途定義ビーコン信号が放送中断されたと判別することができる。
【０２１１】
本発明の第４ビーコン判別実施例によれば、前記使用者端末機３００のプログラム３２５は前記ビーコンモジュール２００と両方向ブルートゥースデータ通信が可能であるかを確認することができ、前記両方向ブルートゥースデータ通信ができないときに前記シガーソケット装置１００のビーコンモジュール２００を通じて前記設定情報に対応する用途定義ビーコン信号が放送中断されたと判別することができる。
【０２１２】
本発明の第５ビーコン判別実施例によれば、前記使用者端末機３００のプログラム３２５は前記第１〜第４ビーコン判別実施例を二以上組み合わせて前記シガーソケット装置１００のビーコンモジュール２００を通じて基本設定ビーコン信号が放送中（または用途定義ビーコン信号の放送中断）であるかまたは前記設定情報に対応する用途定義ビーコン信号が放送中であるかを判別することができ、これによって本発明が限定されない。
【０２１３】
もし、前記第１〜第５ビーコン判別実施例を通じて、前記シガーソケット装置１００のビーコンモジュール２００を通じて用途定義ビーコン信号が放送中であると判別されると、前記使用者端末機３００のプログラム３２５は用途定義ビーコン信号放送に対応する情報を出力する１０１５。
【０２１４】
一方、前記第１〜第５ビーコン判別実施例を通じて、前記シガーソケット装置１００のビーコンモジュール２００を通じて用途定義ビーコン信号の放送が中断されたことが確認されるか、または基本設定ビーコン信号が放送中であると確認されると、前記使用者端末機３００のプログラム３２５は用途定義ビーコン信号の放送中断（または基本設定ビーコン信号の放送）に対応する情報を出力する１０２０。
【０２１５】
図１１は本発明の実施方法によってビーコンモジュール２００の両方向ＵＳＢデータ通信機能を選択的に活性化／非活性化処理する過程を図示した図面である。より詳細には、図１１はビーコンモジュール２００の電源の供給状態と両方向ブルートゥースデータ通信の有無によって前記ビーコンモジュール２００の両方向ＵＳＢデータ通信機能を選択的に活性化または非活性化する過程を図示したものであって、本発明が属した技術分野で通常の知識を有した者であれば、図１１を参照および／または変形して前記ビーコンモジュール２００の両方向ＵＳＢデータ通信機能の活性／非活性過程に対する多様な実施方法（例えば、一部の段階が省略されるか、または順序が変更された実施方法）を類推することができるが、本発明は前記類推されるすべての実施方法を含んで構成され、図１１に図示された実施方法のみによってその技術的特徴が限定されない。
【０２１６】
図１１を参照すれば、前記図４に図示された過程を通じてビーコンモジュール２００の動作モードが車両電源モードと充電電源モードのうちいずれか一つのモードに設定または確認されると、前記ビーコンモジュール２００は、まずブルートゥースペアリングされた使用者端末機３００を確認する手続きを遂行する１１００。もし、ペアリングされた使用者端末機３００が確認されれば、前記ビーコンモジュール２００は前記ペアリングされた使用者端末機３００と両方向ブルートゥースデータ通信を連結する１１０５。前記使用者端末機３００と両方向ブルートゥースデータ通信を連結する途中または後に、前記ビーコンモジュール２００の動作モードが車両電源モードである場合、すなわち車両電源モードで両方向ブルートゥースデータ通信が連結された場合、前記ビーコンモジュール２００は両方向ＵＳＢデータ通信機能を非活性化する１１１０。
【０２１７】
一方、ペアリングされた使用者端末機３００が確認されないか（例えば、ペアリングされた使用者端末機３００が両方向ブルートゥースデータ通信範囲から外れているかまたは使用者端末機３００のブルートゥース機能を非活性化）またはペアリングされた使用者端末機３００と両方向ブルートゥースデータ通信が連結されても車両電源モードではない場合、前記ビーコンモジュール２００は両方向ＵＳＢデータ通信機能を活性化し１１１５、シガーソケット装置１００のＵＳＢコネクター部１２５を通じて使用者端末機３００とケーブルが連結されるかを確認する１１２０。もし、前記使用者端末機３００にケーブルが連結された場合、前記ビーコンモジュール２００は前記使用者端末機３００と両方向ＵＳＢデータ通信を連結する１１２５。
【符号の説明】
【０２１８】
１００：シガーソケット装置
１０５：本体挿入部
１１０：端子
１１５：電源供給部
１２０：電源変換部
１２５：ＵＳＢコネクター部
１３０：電源充電部
２００：ビーコンモジュール
２０４：ＵＳＢ通信部
２０８：メモリ部
２１２：ＲＦ処理部
２１６：アンテナ部
２２４：端末機登録部
２２８：端末機認証部
２３２：ＰＩＮ登録部
２３６：ＰＩＮ認証部
２４０：通信処理部
２４４：モジュール認証処理部
２４８：情報保存部
２５２：シード保存部
２５６：シード決定部
２６０：コード生成部
２６４：ビーコン送出部
２６８：電源確認部
２７２：モード設定部
２７６：信号制御部
２８０：ＵＳＢ制御部
２８４：送出制御部
３００：使用者端末機
３２５：プログラム
３３０：通信連結部
３３５：ＰＩＮ認証手続き部
３４０：端末機認証手続き部
３４５：モジュール認証手続き部
３５０：情報生成部
３５５：通信手続き部
３６０：信号判別部
３６５：情報出力部
【図１】
0006473848.tif 000002
【図２】
0006473848.tif 000003
【図３】
0006473848.tif 000004
【図４】
0006473848.tif 000005
【図５ａ】
0006473848.tif 000006
【図５ｂ】
0006473848.tif 000007
【図６ａ】
0006473848.tif 000008
【図６ｂ】
0006473848.tif 000009
【図７ａ】
0006473848.tif 000010
【図７ｂ】
0006473848.tif 000011
【図８ａ】
0006473848.tif 000012
【図８ｂ】
0006473848.tif 000013
【図９ａ】
0006473848.tif 000014
【図９ｂ】
0006473848.tif 000015
【図１０】
0006473848.tif 000016
【図１１】
0006473848.tif 000017